(57)【要約】  本発明は洗浄組成物、より詳細には汚れた材料からのしみの除去に好適なポリエーテルアミンを含有する洗浄組成物に関する。【特許請求の範囲】
【請求項１】
洗浄組成物であって：
前記組成物の１〜７０重量％の界面活性剤と、
前記組成物の０．１〜１０重量％、好ましくは０．２〜５重量％の、式（Ｉ）：
【化１】
2017529438.tif 000022
ｋ１、ｋ２、ｋ３、及びｋ４のそれぞれは、互いに独立して、０、１、２、３、４、５、又は６から選択され、
Ａ１、Ａ２、Ａ３、Ａ４、Ａ５、Ａ６、Ａ７、Ａ８、Ａ９、Ａ１０、Ａ１１、及びＡ１２のそれぞれは、互いに独立して、２〜１８個の炭素原子を有する直鎖状若しくは分岐鎖状のアルキレン基又はそれらの混合物から選択され、ｘ≧１、ｙ≧１、ｗ≧１、かつｚ≧１であり、（ｘ＋ｙ＋ｗ＋ｚ）の総和が、４〜１００の範囲内であり、ｘ’≧１、ｙ’≧１、ｗ’≧１、かつｚ’≧１であり、（ｘ’＋ｙ’＋ｗ’＋ｚ’）の総和が、４〜１００の範囲内であり、Ｚ１、Ｚ２、Ｚ３、及びＺ４のそれぞれは、互いに独立して、ＯＨ、ＮＨ２、ＮＨＲ’、又はＮＲ’Ｒ”から選択され、Ｒ’及びＲ”は、それぞれ独立して、２〜６個の炭素原子を有するアルキレンから選択される）
のポリエーテルアミンと、
を含む、洗浄組成物。
【請求項２】
前記式（Ｉ）のポリエーテルアミンにおいて、ｋ１、ｋ２、ｋ３、及びｋ４のそれぞれは、互いに独立して、０、１、又は２から選択され、好ましくは、ｋ１、ｋ２、ｋ３、及びｋ４のそれぞれは１である、請求項１に記載の洗浄組成物。
【請求項３】
前記式（Ｉ）のポリエーテルアミンにおいて、Ａ１、Ａ２、Ａ３、Ａ４、Ａ５、Ａ６、Ａ７、Ａ８、Ａ９、Ａ１０、Ａ１１、及びＡ１２のそれぞれは、互いに独立して、２〜１０個の炭素原子を有する直鎖状又は分岐鎖状のアルキレン基から選択され、好ましくは、Ａ１、Ａ２、Ａ３、Ａ４、Ａ５、Ａ６、Ａ７、Ａ８、Ａ９、Ａ１０、Ａ１１、及びＡ１２のそれぞれは、互いに独立して、２〜４個の炭素原子を有する直鎖状又は分岐鎖状のアルキレン基から選択される、請求項１又は２に記載の洗浄組成物。
【請求項４】
前記式（Ｉ）のポリエーテルアミンにおいて、Ａ１、Ａ２、Ａ３、Ａ４、Ａ５、Ａ６、Ａ７、Ａ８、Ａ９、Ａ１０、Ａ１１、及びＡ１２のうちの少なくとも１つが、直鎖状又は分岐鎖状のブチレン基である、請求項１〜３のいずれか一項に記載の洗浄組成物。
【請求項５】
前記式（Ｉ）のポリエーテルアミンにおいて、（ｘ＋ｙ＋ｗ＋ｚ）の総和が、４〜３０の範囲内である、請求項１〜４のいずれか一項に記載の洗浄組成物。
【請求項６】
前記式（Ｉ）のポリエーテルアミンにおいて、（ｘ’＋ｙ’＋ｗ’＋ｚ’）の総和が、４〜３０の範囲内である、請求項１〜５のいずれか一項に記載の洗浄組成物。
【請求項７】
前記式（Ｉ）のポリエーテルアミンが、３５０〜１０００ｇ／モルの重量平均分子量を有し、好ましくは、４００〜８００ｇ／モルの重量平均分子量を有する、請求項１〜６のいずれか一項に記載の洗浄組成物。
【請求項８】
ビルダー、構造剤又は増粘剤、泥汚れ除去／再付着防止剤、高分子汚れ遊離剤、高分子分散剤、高分子油脂洗浄剤、酵素、酵素安定化系、漂白化合物、漂白剤、漂白活性剤、漂白触媒、増白剤、染料、布地色相剤、移染防止剤、キレート剤、抑泡剤、布地柔軟剤、芳香剤マイクロカプセル、及び芳香剤からなる群から選択される洗浄補助添加剤を更に含む、請求項１〜７のいずれか一項に記載の洗浄組成物。
【請求項９】
０．００１〜１重量％の酵素を更に含み、好ましくは、前記酵素が、リパーゼ、アミラーゼ、プロテアーゼ、マンナーゼ、又はそれらの組み合わせから選択される、請求項１〜８のいずれか一項に記載の洗浄組成物。
【請求項１０】
前記界面活性剤が、アニオン性界面活性剤、カチオン性界面活性剤、非イオン性界面活性剤、又は両性界面活性剤から選択される１種類以上の界面活性剤を含み、好ましくは、前記界面活性剤が、アルコキシル化アルキルサルフェート材料、非アルコキシル化アルキルサルフェート材料、アルコキシル化脂肪族アルコール、アミンオキシド、四級アンモニウム界面活性剤、又はアルキルベンゼンスルホネートから選択される１種類以上の界面活性剤を含み、より好ましくは、前記界面活性剤が、Ｃ１２〜Ｃ１８のアルキルエトキシレート、Ｃ１０〜Ｃ１５のアルキルベンゼンスルホネート、Ｃ１０〜Ｃ１８のアルキルアルコキシサルフェート、ジメチルヒドロキシエチルラウリルアンモニウムクロリド、又はＣ１２〜Ｃ１４のジメチルアミンオキシドから選択される１種類以上の界面活性剤を含む、請求項１〜９のいずれか一項に記載の洗浄組成物。
【請求項１１】
前記界面活性剤が分岐状界面活性剤を含み、好ましくは、前記分岐状界面活性剤が、１つ以上のランダムアルキル分枝を有するアニオン性分岐状界面活性剤からなる群から選択され、より好ましくは、前記分岐状界面活性剤が、分岐状アルキルサルフェート、分岐状アルキルアルコキシル化サルフェート、及び分岐状アルキルベンゼンスルホネートからなる群から選択される、請求項１〜１０のいずれか一項に記載の洗浄組成物。
【請求項１２】
高分子分散剤を更に含み、好ましくは、前記高分子分散剤が、ポリ（ビニル−ピロリドン）、ポリ（エチレングリコール）、ポリ（ビニルアルコール）、ポリ（ビニルピリジン−Ｎ−オキシド）、ポリ（ビニルイミダゾール）、ポリカルボキシレート及びそのアルコキシル化又はスルホネート化種、両親媒性洗浄ポリマー及びそのサルフェート化又はスルホネート化種、両親媒性グラフトコポリマー、並びに両親媒性アルコキシル化油脂洗浄ポリマーからなる群から選択され、より好ましくは、前記高分子分散剤が、アルコキシル化ポリアルキレンイミン、マレアート／アクリレートランダムコポリマー、ポリアクリレート、ポリ（メタ）アクリレートホモポリマー、並びに（ｉ）ポリエチレングリコール主鎖、及び（ｉｉ）ポリ酢酸ビニル、ポリビニルアルコール、及びこれらの混合物から選択される少なくとも１つのペンダント部分を含む両親媒性グラフトコポリマーからなる群から選択される、請求項１〜１１のいずれか一項に記載の洗浄組成物。
【請求項１３】
０．１〜１０重量％の、オリゴアミン、トリアミン、ジアミン、又はそれらの組み合わせから選択される追加的アミンを、より好ましくは、テトラエチレンペントアミン、トリエチレンテトラアミン、又はジエチレントリアミンから選択される追加的アミンを、更に含む、請求項１〜１２のいずれか一項に記載の洗浄組成物。
【請求項１４】
前記式（Ｉ）のポリエーテルアミンが、
【化２】
2017529438.tif 000023
及びそれらの混合物からなる群から選択される、請求項１〜１３のいずれか一項に記載の洗浄組成物。
【請求項１５】
汚れた布地を前処理又は処理する方法であって、前記汚れた布地を、請求項１〜１４のいずれか一項に記載の洗浄組成物に接触させることを含む、方法。
【発明の詳細な説明】
【技術分野】
【０００１】
本発明は洗浄組成物、より詳細には汚れた材料からのしみの除去に好適なポリエーテルアミンを含有する洗浄組成物に関する。
【背景技術】
【０００２】
合成繊維から作られるイージケアの布地の人気の増大並びに増加し続けるエネルギーコスト及び洗剤ユーザーのエコロジー面での懸念の高まりにより、一時は人気のあった温水及び熱水洗浄は、冷水（３０℃以下）での布地洗浄に優先順位を譲った。多数の市販の洗濯洗剤は、１５℃、更には９℃で布地の洗浄に好適であることが宣伝されている。そのような低温で満足な洗浄結果、熱水洗浄で得られるものに匹敵する結果を得るためには、低温洗剤への要求は極めて高い。
【０００３】
在来の界面活性剤の洗浄力を増強して、３０℃以下の温度で油しみの除去を改善するために、ある添加物を洗剤組成物中に含めることは知られている。例えば、少なくとも１つのアニオン性及び／又は非イオン性合成界面活性剤に加えて脂肪族アミン化合物を含有する洗濯洗剤は既知である。また、洗濯洗剤において直鎖状アルキル変成（二級）アルコキシプロピルアミンを使用して、低温での洗浄を改善することは既知である。しかしながら、これらの既知の洗濯洗剤は、低温での満足な洗浄を達成することはできない。
【０００４】
更に、洗濯洗剤の芳香の安定化及びより永続性の香りの付与のための直鎖状の一級ポリオキシアルキレンアミン（例えば、Ｊｅｆｆａｍｉｎｅ（登録商標）Ｄ−２３０）の使用も既知である。また、液体洗剤のおける起泡の抑制のために高分子量（少なくとも約１０００の分子量）の分岐した、三官能性一級アミン（例えば、Ｊｅｆｆａｍｉｎｅ（登録商標）Ｔ−５０００ポリエーテルアミン）を使用することも既知である。加えて、モノエーテルジアミン（例えば、少なくとも１０重量％のエーテルアミン混合物）含有エーテルアミン混合物、その製造方法、及びポリマーの合成における硬化剤又は原材料としてのその使用が知られている。終りに、ジアミン又はポリアミンとアルキレンオキシドとの反応から誘導される化合物、及びアミン末端ポリエーテルとエポキシド官能性化合物との反応から誘導される化合物を使用して、起泡を抑制することが知られている。
【発明の概要】
【発明が解決しようとする課題】
【０００５】
洗濯洗剤の製造及び品質をどのような形であっても妨害せずに、低洗浄温度、例えば３０℃以下で洗浄性能を改善することができる、洗剤添加物を求める継続するニーズが存在する。より具体的には、微粒子洗浄に悪影響を及ぼさずに冷水油洗浄を改善できる、洗剤添加物を求めるニーズが存在する。驚くべきことには、本発明の洗浄組成物が、（特に冷水中で）油脂の除去を向上させるということが判明している。
【課題を解決するための手段】
【０００６】
本発明は、上のニーズのうちの１つ以上を満たすことを意図するが、そのために以下のものを含む洗浄組成物を提供する：組成物の約１〜約７０重量％の界面活性剤；及び、組成物の約０．１〜約１０重量％の式（Ｉ）のポリエーテルアミン：
【０００７】
【化１】
2017529438.tif 000002
（式中、ｋ１、ｋ２、ｋ３、及びｋ４のそれぞれは、互いに独立して、０、１、２、３、４、５、又は６から選択され、
Ａ１、Ａ２、Ａ３、Ａ４、Ａ５、Ａ６、Ａ７、Ａ８、Ａ９、Ａ１０、Ａ１１、及びＡ１２のそれぞれは、互いに独立して、約２〜約１８個の炭素原子を有する直鎖状若しくは分岐鎖状のアルキレン基又はそれらの混合物から選択され、かつｘ≧１、ｙ≧１、ｗ≧１、かつｚ≧１であり、かつ（ｘ＋ｙ＋ｗ＋ｚ）の総和が約４〜約１００の範囲内であり、ｘ’≧１、ｙ’≧１、ｗ’≧１、かつｚ’≧１であり、かつ（ｘ’＋ｙ’＋ｗ’＋ｚ’）の総和が約４〜約１００の範囲内であり、かつ、Ｚ１、Ｚ２、Ｚ３、及びＺ４のそれぞれは、互いに独立して、ＯＨ、ＮＨ２、ＮＨＲ’、又はＮＲ’Ｒ”（なお、Ｒ’及びＲ”は、それぞれ独立して、２〜６個の炭素原子を有するアルキレンから選択されるものである）から選択される。）
【０００８】
本発明は更に、以下のものを含む洗浄組成物に関する：組成物の約１〜約７０重量％の界面活性剤；及び、組成物の約０．１〜約１０重量％の、式Ａ、式Ｂ、式Ｃ、式Ｄ、式Ｅ、及びそれらの混合物からなる群から選択されるポリエーテルアミン：
【０００９】
【化２】
2017529438.tif 000003
【００１０】
本発明は更に、汚れた布地を本発明の洗浄組成物に接触させることを含む、汚れた布地を前処理又は処理する方法に関する。
【発明を実施するための形態】
【００１１】
本発明の種々の実施形態の特性及び利点は、本発明の幅広い表現を与えるよう意図される特定の実施形態の例を含む以下の記述から明らかになる。当業者には、本発明の本説明と実施から、さまざまな改変が明白であろう。発明の範囲は開示された特定の形態に限定されるようには意図されず、かつ、本発明は、請求項により定義されるような本発明の精神及び範囲内に入る全ての改変、同等物、及び代替物を網羅する。
【００１２】
本明細書において使用する場合、「ｔｈｅ」、「ａ」及び「ａｎ」などの冠詞は、特許請求の範囲又は明細書において使用される場合、特許請求又は記載されているものの１つ以上のものを意味するように理解される。
【００１３】
本明細書において使用する場合、用語「含む（include）」、「含む（includes）」及び「含んでいる（including）」は、非限定であるように意図される。
【００１４】
本明細書において使用する場合、「実質的に含まない（substantially free of/from）」という用語は、ある成分が完全に存在しないこと、又は、不純物として若しくは別の成分の意図せざる副産物として、最小量だけ存在することを示す。ある成分を「実質的に含まない」組成物とは、当該組成物が、その組成物の重量の約０．５％未満、０．２５％未満、０．１％未満、０．０５％未満、若しくは０．０１％の当該成分を含む、更には０％含むことを意味する。
【００１５】
本明細書において使用する場合、「汚れた材料」という用語は、特に具体的に用いられてはおらず、例えば、木綿、亜麻布、ウール、ポリエステル、ナイロン、絹、アクリル等（ただしそれらに限られない）、並びにそれらをさまざまに混ぜたり組み合わせたりしたもののような天然繊維、人工繊維、及び合成繊維を含む、天然繊維又は人工繊維の網状構造物からなる、あらゆるタイプの可撓性材料を指し得る。汚れた材料とは、例えば、タイル、花崗岩、しっくい、ガラス、複合材、ビニル、堅木、金属、調理用表面、プラスチック等（ただしそれらに限られない）、並びにそれらを混ぜたり組み合わせたもののような天然表面、人工表面、及び合成表面を含む、あらゆるタイプの硬質表面を更に指し得る。
【００１６】
本明細書を通して与えられるあらゆる最大の数値限定は、あらゆるより小さい数値限界を、あたかもかかるより小さい数値限定が本明細書に明示的に記載されているかのように含むことを理解すべきである。本明細書を通して与えられるあらゆる最小の数値限定は、あらゆるより大きい数値限界を、あたかもかかるより大きい数値限定が本明細書に明示的に記載されているかのように含む。本明細書を通して与えられるあらゆる数値範囲は、そのようなより広い数値範囲内に入るより狭いあらゆる数値範囲を、そのような狭い数値範囲が全て本明細書に明示的に記載されているかのように含む。
【００１７】
引用される特許文献及び他の文献は全て、参照により、それらが関連部分においてあたかも本明細書において完全に、再び述べられているかのように、組み込まれる。いかなる特許文献又は他の文献の引用も、引用される特許文献及び他の文献が、本発明に対する先行技術であると認めるものではない。
【００１８】
本説明では、全ての濃度及び比率は、別途記載のない限り、洗浄組成物の重量に基づくものである。
【００１９】
洗浄組成物
本明細書において使用する場合、「洗浄組成物」又は「洗剤組成物」は、汚れた材料を洗浄するよう設計された組成物及び配合物を含む。そのような組成物は、洗濯洗浄組成物及び洗剤、布地柔軟化組成物、布地強化組成物、布地消臭組成物、予洗い用洗剤、洗濯前処理剤、洗濯添加剤、スプレー製品、ドライクリーニング剤又は組成物、洗濯すすぎ添加剤、洗浄添加剤、すすぎ後布地トリートメント、アイロン助剤、食器洗い組成物、硬質面洗浄組成物、単位分量配合剤、遅延送達配合剤、多孔性基材又は不織布の上又は中に含有される洗剤、及び本明細書の教示を考慮すると当業者には明白な他の好適な形態を含むが、これらに限定されない。そのような組成物は、洗濯前処理若しくは洗濯後処理として使用してもよく、又は洗濯作業のすすぎ又は洗浄サイクル中に添加されてもよい。この洗浄組成物は、液体、粉末、単相又は多相の一回量包装、パウチ、錠剤、ゲル、ペースト、バー、又はフレークから選択される形態を有してもよい。
【００２０】
ポリエーテルアミン
本明細書で記述される洗剤組成物は、同洗浄組成物の約０．１〜約１０重量％、約０．２〜約５重量％、又は約０．５〜約３重量％のポリエーテルアミンを含んでもよい。
【００２１】
ポリエーテルアミンは、式（Ｉ）の構造で表現し得る：
【００２２】
【化３】
2017529438.tif 000004
（式中、ｋ１、ｋ２、ｋ３、及びｋ４のそれぞれは、互いに独立して、０、１、２、３、４、５、又は６から選択され、
Ａ１、Ａ２、Ａ３、Ａ４、Ａ５、Ａ６、Ａ７、Ａ８、Ａ９、Ａ１０、Ａ１１、及びＡ１２のそれぞれは、互いに独立して、約２〜約１８個の炭素原子を有する直鎖状若しくは分岐鎖状のアルキレン基又はそれらの混合物から選択され、かつｘ≧１、ｙ≧１、ｗ≧１、かつｚ≧１であり、（ｘ＋ｙ＋ｗ＋ｚ）の総和が約４〜約１００の範囲内であり、ｘ’≧１、ｙ’≧１、ｗ’≧１、かつｚ’≧１であり、（ｘ’＋ｙ’＋ｗ’＋ｚ’）の総和が約４〜約１００の範囲内であり、かつ、Ｚ１、Ｚ２、Ｚ３、及びＺ４のそれぞれは、互いに独立して、ＯＨ、ＮＨ２、ＮＨＲ’、又はＮＲ’Ｒ”（なお、Ｒ’及びＲ”は、それぞれ独立して、２〜６個の炭素原子を有するアルキレンから選択されるものである）から選択される。）
【００２３】
Ｚ１、Ｚ２、Ｚ３、及びＺ４のうちの少なくとも１つ、少なくとも２つ、又は少なくとも３つは、ＮＨ２であり得る。
【００２４】
Ｚ１、Ｚ２、Ｚ３、及びＺ４のそれぞれはすべて、ＮＨ２であり得る。
【００２５】
Ｚ１、Ｚ２、Ｚ３、及びＺ４のそれぞれはすべて、ＯＨであり得る。
【００２６】
ｋ１、ｋ２、ｋ３、及びｋ４のそれぞれは、独立して、０、１、又は２から選択され得る。ｋ１、ｋ２、ｋ３、及びｋ４のそれぞれは、独立して、０又は１から選択され得る。ｋ１、ｋ２、ｋ３、及びｋ４のうちの少なくとも２つは、１であり得る。ｋ１、ｋ２、ｋ３、及びｋ４のそれぞれは、１であり得る。
【００２７】
Ａ１、Ａ２、Ａ３、Ａ４、Ａ５、Ａ６、Ａ７、Ａ８、Ａ９、Ａ１０、Ａ１１、及びＡ１２は、同一のものであってよく、又は異なるものであってもよい。Ａ１〜Ａ１２の少なくとも２つは同一であってもよく、Ａ１〜Ａ１２の少なくとも２つは異なってもよく、又はＡ１〜Ａ１２のそれぞれは、互いに異なっていてもよい。Ａ１、Ａ２、Ａ３、Ａ４、Ａ５、Ａ６、Ａ７、Ａ８、Ａ９、Ａ１０、Ａ１１、及びＡ１２のそれぞれは、互いに独立して、約２〜約１０個の炭素原子、約２〜約６個の炭素原子、又は約２〜約４個の炭素原子を有する直鎖状又は分岐鎖状のアルキレン基から選択され得る。Ａ１〜Ａ１２のうちの少なくとも１つ、又は少なくとも３つは、直鎖状又は分岐鎖状のブチレン基であり得る。Ａ５、Ａ６、Ａ７、及びＡ８のそれぞれは、直鎖状又は分岐鎖状のブチレン基であり得る。Ａ１〜Ａ１２のそれぞれは、直鎖状又は分岐鎖状のブチレン基であり得る。
【００２８】
ｘ、ｘ’、ｙ、ｙ’、ｗ、ｗ’、ｚ、及び／又はｚ’は、それぞれ独立して３以上であり得るが、それは、式（Ｉ）のポリエーテルアミンが、１つより多くの［Ａ１−Ｏ］基、１つより多くの［Ａ２−Ｏ］基、１つより多くの［Ａ３−Ｏ］基、１つより多くの［Ａ４−Ｏ］基、１つより多くの［Ａ５−Ｏ］基、１つより多くの［Ａ６−Ｏ］基、１つより多くの［Ａ７−Ｏ］基、及び／又は１つより多くの［Ａ８−Ｏ］基を有し得るということを意味する。Ａ１は、エチレン、プロピレン、ブチレン、又はそれらの混合物から選択され得る。Ａ２は、エチレン、プロピレン、ブチレン、又はそれらの混合物から選択され得る。Ａ３は、エチレン、プロピレン、ブチレン、又はそれらの混合物から選択され得る。Ａ４は、エチレン、プロピレン、ブチレン、又はそれらの混合物から選択され得る。Ａ５は、エチレン、プロピレン、ブチレン、又はそれらの混合物から選択され得る。Ａ６は、エチレン、プロピレン、ブチレン、又はそれらの混合物から選択され得る。Ａ７は、エチレン、プロピレン、ブチレン、又はそれらの混合物から選択され得る。Ａ８は、エチレン、プロピレン、ブチレン、又はそれらの混合物から選択され得る。
【００２９】
［Ａ１−Ｏ］は、エチレンオキシド、プロピレンオキシド、ブチレンオキシド、又はそれらの混合物から選択され得る。［Ａ２−Ｏ］は、エチレンオキシド、プロピレンオキシド、ブチレンオキシド、又はそれらの混合物から選択され得る。［Ａ３−Ｏ］は、エチレンオキシド、プロピレンオキシド、ブチレンオキシド、又はそれらの混合物から選択され得る。［Ａ４−Ｏ］は、エチレンオキシド、プロピレンオキシド、ブチレンオキシド、又はそれらの混合物から選択され得る。［Ａ５−Ｏ］は、エチレンオキシド、プロピレンオキシド、ブチレンオキシド、又はそれらの混合物から選択され得る。［Ａ６−Ｏ］は、エチレンオキシド、プロピレンオキシド、ブチレンオキシド、又はそれらの混合物から選択され得る。［Ａ７−Ｏ］は、エチレンオキシド、プロピレンオキシド、ブチレンオキシド、又はそれらの混合物から選択され得る。［Ａ８−Ｏ］は、エチレンオキシド、プロピレンオキシド、ブチレンオキシド、又はそれらの混合物から選択され得る。
【００３０】
Ａ１、Ａ２、Ａ３、Ａ４、Ａ５、Ａ６、Ａ７、及び／又はＡ８エチレン、プロピレン、及び／又はブチレンの混合物である場合には、結果として生じるアルコキシレートは、ブロック様構造又はランダム構造を有し得る。
【００３１】
非制限的で、例示的な一例の場合、式（Ｉ）によるポリエーテルアミン中で、ｗ＝７であるならば、そのポリエーテルアミンは、６つの［Ａ１−Ｏ］基を含む。Ａ１がエチレン基及びプロピレン基の混合物を含むならば、結果として生じるポリエーテルアミンは、エトキシ（ＥＯ）基及びプロポキシ（ＰＯ）基の混合物を含むであろう。これらの基は、ランダム構造（例えば、ＥＯ−ＥＯ−ＰＯ−ＥＯ−ＰＯ−ＰＯ）又はブロック様構造（ＥＯ−ＥＯ−ＥＯ−ＰＯ−ＰＯ−ＰＯ）で配列されていてもよい。この例示的な一例では、等しい数の異なるアルコキシ基（ここでは、３つのＥＯ及び３つのＰＯ）があるが、異なる数の各アルコキシ基（例えば、５つのＥＯ及び１つのＰＯ）があってもよい。更に、ポリエーテルアミンが、ブロック様構造のアルコキシ基を含む場合には、ポリエーテルアミンは例示的な例（そこでは、３つのＥＯ基が一方のブロックを形成し、及び３つのＰＯ基がもう一方のブロックを形成する）に示されるように２つのブロックを含んでもよく、又はポリエーテルアミンは３つ以上のブロックを含んでもよい。
【００３２】
また、（ｘ＋ｙ＋ｗ＋ｚ）の総和は、約４〜約１００の、約４〜約３０の、約４〜約１０の、又は約５〜約１０の範囲内にあり得る。また、（ｘ’＋ｙ’＋ｗ’＋ｚ’）の総和は、約４〜約１００の、約４〜約３０の、約４〜約１０の、又は約５〜約１０の範囲内にあり得る。
【００３３】
本発明のポリエーテルアミンは、約３５０ｇ／モルより大きく、約４００ｇ／モルより大きく、約５００ｇ／モルより大きく、約６００ｇ／モルより大きく、又は約６５０ｇ／モルより大きく、約１０００ｇ／モルまでの、約８００ｇ／モルまでの、又は約７５０ｇ／モルまでの重量平均分子量を有し得る。重合反応の場合には、ポリマーの分子量が一定の範囲に分布し、その分子量は、重量平均分子量により要約されるという点で、典型的な分子と異なる。本発明のポリエーテルアミンポリマーは、したがってある範囲に分布する分子量を有する。分子量の差は、合成時に一緒にシ−ケンス化するモノマー単位の数の差に、主として起因する。本発明のポリエーテルアミンポリマーに関しては、モノマー単位は、式（ＩＩ）のポリオールと反応して、アルコキシル化ポリオールを形成し、次にこのアルコキシル化ポリオールがアミノ化されて、結果として生じるポリエーテルアミンポリマーを形成する、アルキレンオキシドである。結果として生じるポリエーテルアミンポリマーは、アルキレンオキシド単位のシーケンスにより特徴付けられる。アルコキシル化反応は、アルキレンオキシドのシーケンスを一定範囲に分布させ、その結果、分子量も一定の範囲に分布することになる。アルコキシル化反応は、また、反応時に反応せず、組成物中に残らない未反応アルキレンオキシドモノマー（「未反応モノマー」）を生じる。
【００３４】
式（Ｉ）のポリエーテルアミンにおいては、ｋ１、ｋ２、ｋ３、及びｋ４のそれぞれは、１であり得るが、ポリエーテルアミンの分子量は、約４００〜約８００ｇ／モルであり得る。式（Ｉ）のポリエーテルアミンにおいては、ｋ１、ｋ２、ｋ３、及びｋ４のそれぞれは、１であり得るが、Ａ１、Ａ２、Ａ３、Ａ４、Ａ５、Ａ６、Ａ７、Ａ８、Ａ９、Ａ１０、Ａ１１、又はＡ１２の少なくとも１つは、プロピレン、ブチレン、又はそれらの混合物であり得る。式（Ｉ）のポリエーテルアミンにおいては、少なくとも１つが、Ａ１、Ａ２、Ａ３、Ａ４、Ａ５、Ａ６、Ａ７、Ａ８、Ａ９、Ａ１０、Ａ１１、又はＡ１２の少なくとも１つが、ブチレンであり得る。
【００３５】
組成物は、式Ａ、式Ｂ、式Ｃ、式Ｄ、式Ｅ、及びそれらの混合物からなる群から選択されるポリエーテルアミンを含む：
【００３６】
【化４】
2017529438.tif 000005
【００３７】
本発明のポリエーテルアミン、例えば式（Ｉ）のポリエーテルアミンは、次のステップを含む方法により得られてもよい：
ａ）ポリオールを、Ｃ２〜Ｃ１８のアルキレンオキシドと反応させて、ポリオール対アルキレンオキシドのモル比が約１：３〜約１：１０の範囲内にあるアルコキシル化ポリオールを形成し、
ｂ）アルコキシル化ポリオールをアンモニアによりアミノ化する。
【００３８】
この方法は下記に、より詳細に説明される。
【００３９】
アルコキシル化
式（Ｉ）のポリエーテルアミンは、アルコキシル化ポリオールの還元アミノ化によっても得ることが可能である。本開示のアルコキシル化ポリオールは、当該技術分野において既知の一般的なアルコキシル化の手順にしたがって、ポリオールをアルキレンオキシドと反応させることにより得ることが可能である。
【００４０】
ポリオールは、水溶性のものであり得る。
【００４１】
ポリオールは、式（ＩＩ）の構造を有し得る：
【００４２】
【化５】
2017529438.tif 000006
（式中、ｋ１、ｋ２、ｋ３、及びｋ４のそれぞれは、互いに独立して、０、１、２、３、４、５、又は６から選択され、ｋ１、ｋ２、ｋ３、及びｋ４は、それぞれ独立して、０、１、又は２から選択される。）ｋ１、ｋ２、ｋ３、及びｋ４のそれぞれは、互いに独立して、０又は１から選択され得る。ｋ１、ｋ２、ｋ３、及びｋ４のうちの少なくとも２つは、１であり得る。ｋ１、ｋ２、ｋ３、及びｋ４のそれぞれは、１であり得る。
【００４３】
アルコキシル化ポリオールは、ポリオールをアルキレンオキシドと反応させる既知の方法で調製し得る。好適なアルキレンオキシドは、線状又は分岐状の、Ｃ２〜Ｃ１８のアルキレンオキシド、典型的にはＣ２〜Ｃ１０のアルキレンオキシド、より典型的にはＣ２〜Ｃ６のアルキレンオキシド、又はＣ２〜Ｃ４のアルキレンオキシドである。好適なアルキレンオキシドとしては、エチレンオキシド、プロピレンオキシド、ブチレンオキシド、ペンテンオキシド、ヘキセンオキシド、デセンオキシド、及びドデセンオキシドが挙げられる。Ｃ２〜Ｃ１８のアルキレンオキシドは、エチレンオキシド、プロピレンオキシド、ブチレンオキシド、又はそれらの混合物から選択され得る。Ｃ２〜Ｃ１８のアルキレンオキシドは、ブチレンオキシドであり得るが、場合により他のＣ２〜Ｃ１８のアルキレンオキシドと組み合わされる。
【００４４】
ポリオールは、単一のタイプのアルキレンオキシドと反応させても、例えば、エチレンオキシドとプロピレンオキシドとの組み合わせのような、２種類以上の異なるタイプのアルキレンオキシドの組み合わせと反応させてもよい。２つ以上の異なる形のアルキレンオキシドを使用するならば、生成アルコキシレートはブロック様構造又はランダム構造を有することがある。
【００４５】
典型的には、アルコキシル化反応させる際のポリオール対Ｃ２〜Ｃ１８のアルキレンオキシドのモル比は、約１：３〜約１：１０、約１：３〜約１：６、又は約１：４〜約１：６の範囲内である。アルコキシル化反応させる際のポリオール対Ｃ２〜Ｃ１８のアルキレンオキシドのモル比は、約１：５〜約１：１０の範囲内である。
【００４６】
その反応は、一般に、水溶液中に触媒が存在する下で、約７０〜約２００℃、及び典型的には約８０〜約１６０℃の反応温度で行われる。反応は、最大約１ＭＰａ（１０バール）、又は最大約０．８ＭＰａ（８バール）の圧力の下で進行する。
【００４７】
好適な触媒の例としては、例えば水酸化ナトリウム、水酸化カリウム、及び水酸化カルシウムなどのアルカリ金属水酸化物及びアルカリ土類金属水酸化物、アルカリ金属アルコキシド、特に、例えばナトリウムメトキシド、ナトリウムエトキシド、及びカリウムｔｅｒｔ−ブトキシドなどのナトリウム及びカリウムＣ１〜Ｃ４のアルコキシド、例えば水素化ナトリウム及び水素化カルシウムなどのアルカリ金属水素化物及びアルカリ土類金属水素化物、並びに例えば炭酸ナトリウム及び炭酸カリウムなどのアルカリ金属炭酸塩である。触媒は、アルカリ金属水酸化物、典型的には水酸化カリウム又は水酸化ナトリウムであり得る。触媒の典型的な使用量は、ポリオールとアルキレンオキシドとの総重量の約０．０５〜約１０重量％、特に約０．１〜約２重量％である。アルコキシル化反応時、触媒残渣などの特定の不純物（ポリマーの意図されない成分）が形成される場合もある。
【００４８】
アミノ化
式（Ｉ）のポリエーテルアミンは、水素とニッケル含有触媒のような触媒との存在下において、アルコキシル化ポリオールをアンモニアで還元アミノ化することにより得ることが可能である。好適な触媒は、国際公開第ＷＯ  ２０１１／０６７１９９（Ａ１）号、同第ＷＯ  ２０１１／０６７２００（Ａ１）号、及び欧州特許第０６９６５７２  Ｂ１号に記載されている。
【００４９】
アミノ化は銅含有、ニッケル含有、又はコバルト含有触媒の存在下において行われてもよい。好ましい触媒は、担持された銅含有、ニッケル含有、及びコバルト含有触媒であり、そこでは触媒の触媒活性材料が、水素による還元前には、アルミニウム、銅、ニッケル、及びコバルトの酸素化合物と、ＳｎＯとして計算して約０．２〜約５．０重量％の範囲内のスズの酸素化合物とを含む。他の好適な触媒は、担持された銅含有、ニッケル含有、及びコバルト含有触媒であり、そこでは触媒の触媒活性材料が、水素によるその還元前には、アルミニウム、銅、ニッケル、コバルト、スズの酸素化合物、及びそれぞれＹ２Ｏ３、Ｌａ２Ｏ３、Ｃｅ２Ｏ３及びＨｆ２Ｏ３として計算して約０．２〜約５．０重量％の範囲のイットリウム、ランタン、セリウム、及び／又はハフニウムの酸素化合物を含む。他の好適な触媒は、ジルコニウム、銅、ニッケル触媒であり、そこでは触媒活性組成物がＺｒＯ２として計算して約２０〜約８５重量％の酸素含有ジルコニウム化合物、ＣｕＯとして計算して約１〜約３０重量％の銅の酸素含有化合物、ＮｉＯとして計算して約３０〜約７０重量％のニッケルの酸素含有化合物、並びにそれぞれＡｌ２Ｏ３及びＭｎＯ２として計算して約０．１〜約５重量％のアルミニウム及び／又はマンガンの酸素含有化合物を含む。
【００５０】
還元アミノ化ステップに対しては、担持触媒及び非担持触媒を使用することができる。担持触媒は、当該技術分野において周知の手法を用いて、既知の形態のアルミナ、シリカ、木炭、カーボン、グラファイト、粘土、モルデナイトを含む（ただしそれらに限られない）当該技術分野において既知の担持材料上に、触媒組成物の金属成分を堆積することにより得られてもよく、モレキュラーシーブを使用して、担持触媒を得てもよい。担持触媒の場合、触媒の担体粒子は、任意の幾何学的形状、例えば規則的又は不規則な形状の、球形状、平らな錠剤のような形状、又は円筒の形状を有してもよい。
【００５１】
工程は、連続又は不連続方式で、例えばオートクレーブ、管式反応器、又は固定床反応器中で行うことができる。反応器については、多くの設計があり得る。例えば、反応器へのフィードは上方流又は下方流であってもよく、反応器中でプラグフローを最適化するような、反応器中の設計上の特色を採用してもよい。
【００５２】
アミノ化度は、約５０〜約１００％、約６７〜約１００％、又は約８５〜約１００％であり得る。アミノ化度は、５０％未満であり得る。アミノ化度は、約１０％から５０％未満、約２０％から５０％未満、又は約３０％から５０％未満であり得る。
【００５３】
本明細書中に特に他にことわらない限り、アミノ化度は、全アミン価（ＡＺ）を、全アセチル化可能価（ＡＣ）及び三価アミン価（ｔｅｒｔ．ＡＺ）の和で割り、１００を掛けたもの（全ＡＺ／（（ＡＣ＋ｔｅｒｔ．ＡＺ）×１００）で計算される。
【００５４】
全アミン価（ＡＺ）はＤＩＮ  １６９４５に従って求められる。
【００５５】
全アセチル化可能価（ＡＣ）はＤＩＮ  ５３２４０に従って求められる。
【００５６】
二価アミン及び三価アミン価はＡＳＴＭのＤ２０７４−０７に従って求められる。
【００５７】
ヒドロキシル価は｛（全アセチル化可能価＋三価アミン価）−全アミン価｝で計算される。
【００５８】
本発明のポリエーテルアミンは、汚れた材料からしみ、特に油脂を除去するのに有効である。本発明のポリエーテルアミン含有洗浄組成物は、また、例えばコーヒ、茶、ワイン、又は微粒子のような親水性の漂白可能なしみに対して、従来のアミン含有洗浄組成物の場合に見られるような、洗浄面のマイナスを呈さない。加えて、従来のアミン含有洗浄組成物と異なり、本発明のポリエーテルアミンを含有する洗浄組成物は、白色布地に対して、白色度の面のマイナスに寄与しない。
【００５９】
本発明のポリエーテルアミンは、例えばクエン酸、乳酸、硫酸、メタンスルホン酸、塩化水素（例えば塩化水素水溶液）、リン酸、又はこれらの混合物などの酸と一緒に、ポリエーテルアミンの水系、含水、又は無水の溶液、エマルション、ゲル又はペーストの形で使用され得る。あるいは、酸は、例えば、アルキルベンゼンスルホン酸、アルキルスルホン酸，硫酸のモノアルキルエステル、硫酸のモノアルキルエトキシエステル、脂肪酸、アルキルエトキシカルボン酸等、又はこれらの混合物のような、界面活性剤により代表され得る。適用可能又は測定可能な場合は、溶液又はエマルションの好ましいｐＨは、ｐＨ３〜ｐＨ１１、又はｐＨ６〜ｐＨ９．５、更により好ましくはｐＨ７〜ｐＨ８．５の範囲である。
【００６０】
本発明のポリエーテルアミンを含有する洗浄組成物の更なる利点は、例えば洗浄水中の洗剤として、又は冷水洗浄が後に続く油しみの前処理を介して、冷水中で油しみを除去する能力である。理論に縛られずに言えば、冷水洗浄溶液は、油脂を硬化又は固化する効果を有し、特に布地上で、除去されることに対して油脂がより抵抗するようになると考えられる。本発明のポリエーテルアミンを含有する洗浄組成物は、冷水洗浄が後に続く前処理の一部として使用すると、驚くほど効果的である。
【００６１】
界面活性剤
洗浄組成物は、１種類以上の界面活性剤を含み得る。洗浄組成物は、組成物の約１〜約７０重量％の界面活性剤を含み得る。洗浄組成物は、組成物の約２〜約６０重量％の界面活性剤を含み得る。洗浄組成物は、組成物の約５〜約３０重量％の界面活性剤を含み得る。界面活性剤は、アニオン性界面活性剤、非イオン性界面活性剤、カチオン性界面活性剤、双性イオン性界面活性剤、両性界面活性剤、両性電解質界面活性剤、及びそれらの混合物からなる群から選択され得る。界面活性剤は、洗浄性界面活性剤であり得るが、それは、汚れた材料に対して、洗浄、しみ除去、又は洗濯上の利益を提供する、任意の界面活性剤又は界面活性剤の混合物を含む。
【００６２】
アニオン性界面活性剤
洗浄組成物は、アニオン性界面活性剤を含み得る。洗浄組成物は、アニオン性界面活性剤から本質的になる場合があり、又は、アニオン性界面活性剤からなる場合さえある。
【００６３】
好適なアニオン性界面活性剤の具体的な例としては、任意の従来型アニオン性界面活性剤が挙げられるが、それらに限られない。これには、洗浄性サルフェート界面活性剤が含まれるが、例えば、アルコキシル化及び／又は非アルコキシル化アルキルサルフェート材料、及び／又は洗浄性スルホン酸界面活性剤、例えば、アルキルベンゼンスルホネートである。
【００６４】
アルコキシル化アルキルサルフェート材料は、アルキルエーテルサルフェート又はアルキルポリエトキシレートサルフェートとしても既知のエトキシル化アルキルサルフェート界面活性剤を含む。エトキシル化アルキルサルフェートの例としては、約８〜約３０個の炭素原子を含有するアルキル基、並びにスルホン酸基及びその塩を、その分子構造の中に有する、有機イオウ反応生成物の水溶性塩、特にアルカリ金属塩、アンモニウム塩、及びアルキロールアンモニウム塩が挙げられる。用語「アルキル」には、アシル基のアルキル部分が含まれる。一部の例では、アルキル基は、約１５〜約３０個の炭素原子を含有する。他の例では、アルキルエーテルサルフェート界面活性剤は、約１２〜３０個の炭素原子の範囲内、及び一部の例では約２５個の炭素原子の平均炭素鎖長の範囲内の平均（算術平均）炭素鎖長、及び約１モル〜４モルのエチレンオキシドの平均（算術平均）エトキシル化度、及び一部の例では１．８モルのエチレンオキシドの平均（算術平均）エトキシル化度を有するアルキルエーテルサルフェートの混合物であってもよい。更なる例では、アルキルエーテルサルフェート界面活性剤は、約１０炭素原子〜約１８炭素原子の間の炭素鎖長、及びエチレンオキシド約１〜約６モルのエトキシル化度を有してもよい。なお更なる例では、アルキルエーテルサルフェート界面活性剤はピークのあるエトキシル化度分布を含んでもよい。
【００６５】
非エトキシル化アルキルサルフェートは、また、本開示の洗剤組成物に添加され、及びアニオン性界面活性剤成分として使用されてもよい。非アルコキシル化、例えば非エトキシル化アルキルサルフェート界面活性剤の例には、Ｃ８〜Ｃ２０の高級脂肪族アルコールのサルフェート化によって生成されるものが挙げられる。いくつかの例では、第一級アルキルサルフェート界面活性剤は、ＲＯＳＯ３−Ｍ＋という一般式を有し、式中、Ｒは典型的には、直鎖状のＣ８〜Ｃ２０のヒドロカルビル基であり（この基は、直鎖であっても、分岐鎖であってもよい）、Ｍは水溶化カチオンである。いくつかの例では、ＲはＣ１０〜Ｃ１５のアルキルであり、Ｍはアルカリ金属である。他の例では、ＲはＣ１２〜Ｃ１４のアルキルであり、Ｍはナトリウムである。
【００６６】
他の有用なアニオン性界面活性剤には、アルキルベンゼンスルホネートのアルカリ金属塩であって、直鎖状（線状）又は分岐鎖状の配置の、約９〜約１５個の炭素原子を含有するアルキル基を挙げることができる。一部の例では、アルキル基は直鎖状である。そのような直鎖状アルキルベンゼンスルホネートは「ＬＡＳ」として既知である。他の例では、直鎖状アルキルベンゼンスルホネートは、アルキル基中に、約１１〜１４個の平均炭素原子数を有し得る。１つの具体的な例では、線状直鎖アルキルベンゼンスルホネートは、アルキル基中に、約１１．８個の炭素原子の平均炭素原子数を有し、Ｃ１１．８  ＬＡＳと略称されることもある。
【００６７】
好適なアルキルベンゼンスルホネート（ＬＡＳ）は、市販の直鎖状アルキルベンゼン（ＬＡＢ）をスルホン化することにより得ることが可能であり；好適なＬＡＢには、低２−フェニルＬＡＢ、例えば、Ｉｓｏｃｈｅｍ（登録商標）という商品名で、Ｓａｓｏｌ社から供給されているもの、又は、Ｐｅｔｒｅｌａｂ（登録商標）という商品名で、Ｐｅｔｒｅｓａ社から供給されているものが挙げられ、他の好適なＬＡＢには、高２−フェニルＬＡＢ、例えば、Ｓａｓｏｌ社から供給されている、Ｈｙｂｌｅｎｅ（登録商標）が挙げられる。好適なアニオン性洗浄性界面活性剤は、ＤＥＴＡＬ触媒法（例えば、ＨＦのような他の合成経路も好適である場合もある）により得られるアルキルベンゼンスルホネートである。ＬＡＳのマグネシウム塩を用いることも可能である。
【００６８】
洗浄性界面活性剤は、中鎖分岐状洗浄性界面活性剤、例えば、中鎖分岐状アニオン性洗浄性界面活性剤であり得るが、中鎖分岐状アニオン性洗浄性界面活性剤には、例えば中鎖分岐状アルキルサルフェート及び／又は中鎖分岐状アルキルベンゼンスルホネートがある。
【００６９】
本開示において有用な他のアニオン性界面活性剤には、以下の水溶性塩がある：約８〜約２４個（一部の例においては、約１２〜１８）個の炭素原子を含有するパラフィンスルホネート及び第２級アルケンスルホネート；及びアルキルグリセリルエーテルスルホネート、特に、Ｃ８〜Ｃ１８のアルコール（例えば、獣脂及びココナッツ油由来のもの）のエーテル。アルキルベンゼンスルホネートを、上述のパラフィンスルホネート、第２級アルケンスルホネート、及びアルキルグリセリルエーテルスルホネートと混合したものもまた、有用であり得る。更なる好適なアニオン性界面活性剤としては、メチルエステルスルホネート及びアルキルエーテルカルボキシレートが挙げられる。
【００７０】
アニオン性界面活性剤は酸形で存在してもよく、及び中和されて界面活性剤塩を形成してもよい。典型的な中和剤としては、水酸化物、例えばＮａＯＨ又はＫＯＨなどの金属対イオン塩基が挙げられる。酸形のアニオン性界面活性剤の更なる好適な中和剤としては、アンモニア、アミン、又はアルカノールアミンが挙げられる。アルカノールアミンの非限定的な例としては、モノエタノールアミン、ジエタノールアミン、トリエタノールアミン、及び当該技術分野において既知の、その他の直鎖状又は分岐鎖状のアルカノールアミンが挙げられ、好適なアルカノールアミンとしては、２−アミノ−１−プロパノール、１−アミノプロパノール、モノイソプロパノールアミン、又は１−アミノ−３−プロパノールが挙げられる。アミン中和は完全又は部分的に行われてもよく、例えばアニオン性界面活性剤の一部はナトリウム又はカリウムにより中和されてもよく、及びアニオン性界面活性剤の一部はアミン又はアルカノールアミンにより中和されてもよい。
【００７１】
非イオン性界面活性剤
洗浄組成物は、非イオン性界面活性剤を含み得る。洗浄組成物は、洗浄組成物の約０．１〜約５０重量％の非イオン性界面活性剤を含み得る。洗浄組成物は、洗浄組成物の約０．１〜約２５重量％、又は約０．１〜約１５重量％の非イオン性界面活性剤を含み得る。洗浄組成物は、洗浄組成物の約０．３〜約１０重量％の非イオン性界面活性剤を含み得る。
【００７２】
本明細書で有用で好適な非イオン性界面活性剤は、任意の従来の非イオン性界面活性剤を含み得る。これらには、例えば、アルコキシル化脂肪族アルコール、及びアミンオキシド界面活性剤が含まれ得る。一部の例においては、洗剤組成物は、エトキシル化非イオン性界面活性剤を含有し得る。非イオン性界面活性剤は、式Ｒ（ＯＣ２Ｈ４）ｎＯＨ（ただし、式中、Ｒは、約８〜約１５個の炭素原子を含有する脂肪族炭化水素ラジカルと、アルキル基が約８〜約１２個の炭素原子を含有するアルキルフェニルラジカルとからなる群から選択され、かつ、ｎの平均値が、約５〜約１５である）の、エトキシル化アルコール及びエトキシル化アルキルフェノールから選択され得る。非イオン性界面活性剤は、平均約２４個の炭素原子をアルコール内に有し、アルコール１モルあたり約９モルのエチレンオキシドの平均エトキシル化度を有する、エトキシル化アルコールから選択され得る。
【００７３】
本開示において有用な非イオン性界面活性剤の他の非限定的な例としては、以下のものが挙げられる：Ｓｈｅｌｌ社から入手可能なＮＥＯＤＯＬ（登録商標）非イオン性界面活性剤のような、Ｃ８〜Ｃ１８のアルキルエトキシレート；アルコキシレート単位がエチレンオキシ単位、プロピレンオキシ単位、又はそれらの混合物であり得る、Ｃ６〜Ｃ１２のアルキルフェノールアルコキシレート；例えば、ＢＡＳＦ社から入手可能なＰｌｕｒｏｎｉｃ（登録商標）のような、エチレンオキシド／プロピレンオキシドブロックポリマーを有する、Ｃ１２〜Ｃ１８のアルコール及びＣ６〜Ｃ１２のアルキルフェノール縮合物；Ｃ１４〜Ｃ２２の中鎖分岐状アルコール、ＢＡ；Ｃ１４〜Ｃ２２の中鎖分岐状アルキルアルコキシレート、ＢＡＥｘ（ただし、ｘは１〜３０である）；アルキル多糖類；具体的にはアルキルポリグリコシド；ポリヒドロキシ脂肪酸アミド；並びに、エーテルキャップポリ（オキシアルキル化）アルコール界面活性剤。
【００７４】
好適な非イオン性洗浄性界面活性剤は、また、アルキルポリグルコシド及びアルキルアルコキシル化アルコールをも含む。好適な非イオン性界面活性剤は、また、商品名Ｌｕｔｅｎｓｏｌ（登録商標）としてＢＡＳＦ社から販売されているものを含む。
【００７５】
非イオン性界面活性剤は、例えば、Ｃ８〜Ｃ１８のアルキルアルコキシル化アルコール（例えば、Ｃ８〜Ｃ１８のアルキルエトキシル化アルコール）のようなアルキルアルコキシル化アルコールから選択され得る。アルキルアルコキシル化アルコールは、約１〜約５０の、約１〜約３０の、約１〜約２０の、約１〜約１０の、約１〜約７の、約１〜約５の、又は約３〜約７の平均アルコキシル化度を有し得る。アルキルアルコキシル化アルコールは、直鎖状又は分岐鎖状、置換又は非置換であることができる。
【００７６】
カチオン性界面活性剤
洗浄組成物は、カチオン性界面活性剤を含み得る。洗浄組成物は、洗浄組成物の約０．１〜約１０重量％の、約０．１〜約７重量％の、約０．１〜約５重量％の、又は約１〜約４重量％のカチオン性界面活性剤を含み得る。本発明の洗浄組成物は、カチオン性界面活性剤と、ｐＨ７未満又はｐＨ６未満でカチオン性となる界面活性剤とを実質的に含まない場合がある。
【００７７】
カチオン性界面活性剤の非限定的な例には、次のものが挙げられる：四級アンモニウム界面活性剤であって、最大で２６個の炭素原子を有することが可能であり、アルコキシレート四級アンモニウム（ＡＱＡ）界面活性剤を含むもの；ジメチルヒドロキシエチル四級アンモニウム；ジメチルヒドロキシエチルラウリルアンモニウムクロリド；ポリアミンカチオン性界面活性剤；カチオン性エステル界面活性剤；及びアミノ界面活性剤、例えば、アミドプロピルジメチルアミン（ＡＰＡ）。
【００７８】
また好適なカチオン性洗浄性界面活性剤としては、アルキルピリジニウム化合物、アルキル四級アンモニウム化合物、アルキル四級ホスホニウム化合物、アルキル三級スルホニウム化合物、及びこれらの混合物も挙げられる。
【００７９】
好適なカチオン性浄性界面活性剤は、下記の一般式を有する四級アンモニウム化合物である：
（Ｒ）（Ｒ１）（Ｒ２）（Ｒ３）Ｎ＋Ｘ−
（式中、Ｒは直鎖状又は分岐鎖状、置換又は非置換Ｃ６〜Ｃ１８アルキル又はアルケニル部分であり、Ｒ１及びＲ２は、互いに独立して、メチル又はエチル部分から選択され、Ｒ３はヒドロキシ、ヒドロキシメチル、又はヒドロキシエチル部分であり、Ｘは電荷の中性を提供するアニオンであり、好適なアニオンとしては例えばクロリドのようなハロゲン化物、サルフェート、及びスルホネートが挙げられる。）好適なカチオン性洗浄性界面活性剤は、モノ−Ｃ６〜Ｃ１８のアルキルモノ−ヒドロキシエチルジ−メチル四級アンモニウムクロリドである。高度に好適なカチオン性洗浄性界面活性剤は、モノ−Ｃ８〜Ｃ１０のアルキルモノ−ヒドロキシエチルジ−メチル四級アンモニウムクロリド、モノ−Ｃ１０〜Ｃ１２アルキルモノ−ヒドロキシエチルジ−メチル四級アンモニウムクロリド、及びモノ−Ｃ１０アルキルモノ−ヒドロキシエチルジ−メチル四級アンモニウムクロリドである。
【００８０】
双性イオン界面活性剤
洗浄組成物は、双性イオン性界面活性剤を含み得る。双性イオン性界面活性剤の例としては、第二級及び第三級アミンの誘導体、複素環式第二級及び第三級アミンの誘導体、又は第四級アンモニウム化合物、第四級ホスホニウム化合物、若しくは第三級スルホニウム化合物の誘導体が挙げられる。双性イオン性界面活性剤の好適な例としては、アルキルジメチルベタイン及びココジメチルアミドプロピルベタイン、Ｃ８〜Ｃ１８（例えばＣ１２〜Ｃ１８）のアミンオキシド、並びに例えば、アルキル基がＣ８〜Ｃ１８であり得るＮ−アルキル−Ｎ，Ｎ−ジメチルアミノ−１−プロパンスルホネートのようなスルホベタイン及びヒドロキシベタイン、を含むベタインが挙げられる。
【００８１】
両性界面活性剤
洗浄組成物は、両性界面活性剤を含み得る。両性界面活性剤の例としては、第二級又は第三級アミンの脂肪族誘導体、あるいは、脂肪族ラジカルが直鎖又は分岐鎖であってもよく、かつ脂肪族置換基の１つが少なくとも約８個の炭素原子、又は約８〜約１８個の炭素原子を含有し、かつ脂肪族置換基の少なくとも１つがアニオン性水溶解基、例えばカルボキシ、スルホネート、サルフェートを含有する、ヘテロ環式第二級及び第三級アミンの脂肪族誘導体が挙げられる。この定義の範疇に入る化合物の例は、ナトリウム３−（ドデシルアミノ）プロピオネート、ナトリウム３−（ドデシルアミノ）プロパン−１−スルホネート、ナトリウム２−（ドデシルアミノ）エチルサルフェート、ナトリウム２−（ジメチルアミノ）オクタデカノエート、二ナトリウム３−（Ｎ−カルボキシメチルドデシルアミノ）プロパン１−スルホネート、二ナトリウムオクタデシル−イミノジアセテート、ナトリウム１−カルボキシメチル−２−ウンデシルイミダゾール、及びナトリウムＮ，Ｎ−ビス（２−ヒドロキシエチル）−２−スルファト−３−ドデコキシプロピルアミンである。好適な両性界面活性剤としては、また、サルコシネート、グリシネート、タウリネート、及びこれらの混合物も挙げられる。
【００８２】
分岐状界面活性剤
洗浄組成物は、分岐状界面活性剤を含み得る。好適な分岐状界面活性剤には、分岐状サルフェート又は分岐状スルホネート界面活性剤から選択される、アニオン性分岐状界面活性剤が挙げられるが、例としては、例えばＣ１〜Ｃ４のアルキル基、典型的にはメチル基及び／又はエチル基である１つ以上のランダムアルキル分岐を含む、分岐状アルキルサルフェート、分岐状アルキルアルコキシル化サルフェート、及び分岐状アルキルベンゼンスルホネートがある。
【００８３】
分岐状洗浄性界面活性剤は、中鎖分岐状洗浄性界面活性剤、例えば、中鎖分岐状アニオン性洗浄性界面活性剤であり得るが、中鎖分岐状アニオン性洗浄性界面活性剤には、例えば中鎖分岐状アルキルサルフェート及び／又は中鎖分岐状アルキルベンゼンスルホネートがある。
【００８４】
分岐状界面活性剤は、以下の式の、より長いアルキル鎖の中鎖分岐状界面活性剤化合物を含み得る：
Ａｂ−Ｘ−Ｂ
なお、式中、
（ａ）Ａｂは、疎水性のＣ９〜Ｃ２２（部位内の総炭素）、典型的には、約Ｃ１２〜約Ｃ１８、中鎖分岐状アルキル部分であり：（１）（−Ｘ−Ｂ）部分に結合した最長の、８〜２１個の範囲の炭素原子を有する直鎖炭素鎖と；（２）この最長直鎖炭素鎖から分岐している１つ以上のＣ１〜Ｃ３アルキル部分と、を有し；（３）分岐アルキル部分の少なくとも１つが、位置２（（−Ｘ−Ｂ）部分に結合している炭素＃１から数えて）の炭素から位置ω−２の炭素（末端の炭素から炭素２つ分マイナスの炭素、すなわち、最長直鎖炭素鎖の端部から３番目の炭素）の範囲内にある位置で、最長直鎖炭素鎖の炭素の１つに直接結合しており；かつ（４）界面活性剤組成物が、上式の（Ａｂ−Ｘ）部分内の炭素原子の平均総数として、１４．５〜約１７．５（典型的には約１５〜約１７）の範囲の平均総数を有し；
ｂ）Ｂは、サルフェート、スルホネート、アミンオキシド、ポリオキシアルキレン（例えば、ポリオキシエチレン及びポリオキシプロピレン）、アルコキシル化サルフェート、ポリヒドロキシ部分、ホスフェートエステル、グリセロールスルホネート、ポリグルコネート、ポリホスフェートエステル、ホスホネート、スルホサクシネート、スルホサカミネート（sulfosuccaminates）、ポリアルコキシル化カルボキシレート、グルカミド、タウリネート、サルコシネート、グリシネート、イセチオネート、ジアルカノールアミド、モノアルカノールアミド、モノアルカノールアミドサルフェート、ジグリコールアミド、ジグリコールアミドサルフェート、グリセロールエステル、グリセロールエステルサルフェート、グリセロールエーテル、グリセロールエーテルサルフェート、ポリグリセロールエーテル、ポリグリセロールエーテルサルフェート、ソルビタンエステル、ポリアルコキシル化ソルビタンエステル、アンモニオアルケンスルホネート、アミドプロピルベタイン、アルキレート化クワット、アルキレート化／ポリヒドロキシアルキレート化クワット、アルキレート化／ポリヒドロキシレート化オキシプロピルクワット、イミダゾリン、２−イル−サクシネート、スルホネート化アルキルエステル、及びスルホネート化脂肪酸から選択される親水性部分であり（例えば、（Ａｂ−Ｘ）ｚ−Ｂがジメチルクワットをなすように、２つ以上の疎水性部分がＢに結合していてもよいということに留意すべきである）；かつ、
（ｃ）Ｘは−ＣＨ２−及び−Ｃ（Ｏ）−から選択される。
【００８５】
一般に、上記の式において、Ａｂ部分は、いずれの第四級置換炭素原子（すなわち、１つの炭素原子に直接結合している４つの炭素原子）も有さない。得られる界面活性剤は、どの親水性部分（Ｂ）を選択するかに応じて、アニオン性、非イオン性、カチオン性、双極イオン性、両性、又は両性電解質であってよい。Ｂがサルフェートで、得られる界面活性剤がアニオン性となる場合がある。
【００８６】
分岐状界面活性剤は、上の式の、Ａｂ部分が、次式を有する分岐状第一級アルキル部分である、より長いアルキル鎖の中鎖分岐状界面活性剤化合物を含み得る：
【００８７】
【化６】
2017529438.tif 000007
ただし、この式の分岐状第一級アルキル部分（Ｒ、Ｒ１、及びＲ２分岐を含む）内の炭素原子の総数が、１３〜１９個であり；Ｒ、Ｒ１、及びＲ２は、それぞれ独立して、水素、及びＣ１〜Ｃ３アルキル（典型的にはメチル）から選択されるが、Ｒ、Ｒ１、及びＲ２のすべてが水素ということがなく、かつ、ｚが０である場合には、少なくともＲ又はＲ１が水素ではなく；ｗは、０〜１３の整数であり；ｘは、０〜１３の整数であり；ｙは、０〜１３の整数であり；ｚは、０〜１３の整数であり；かつ、（ｗ＋ｘ＋ｙ＋ｚ）が７〜１３である。
【００８８】
分岐状界面活性剤は、上の式の、Ａｂ部分が、以下から選択される式を有する分岐状第一級アルキル部分である、より長いアルキル鎖の中鎖分岐状界面活性剤化合物を含み得る：
【００８９】
【化７】
2017529438.tif 000008
又はそれらの混合物；ただし、式中のａ、ｂ、ｄ、及びｅは整数であり、（ａ＋ｂ）は１０〜１６であり、（ｄ＋ｅ）は８〜１４であり、かつ更に、
ａ＋ｂ＝１０である場合には、ａは２〜９の整数であり、かつｂは１〜８の整数であり；
ａ＋ｂ＝１１である場合には、ａは２〜１０の整数であり、かつｂは１〜９の整数であり；
ａ＋ｂ＝１２である場合には、ａは２〜１１の整数であり、かつｂは１〜１０の整数であり；
ａ＋ｂ＝１３である場合には、ａは２〜１２の整数であり、かつｂは１〜１１の整数であり；
ａ＋ｂ＝１４である場合には、ａは２〜１３の整数であり、かつｂは１〜１２の整数であり；
ａ＋ｂ＝１５である場合には、ａは２〜１４の整数であり、かつｂは１〜１３の整数であり；
ａ＋ｂ＝１６である場合には、ａは２〜１５の整数であり、かつｂは１〜１４の整数であり；
ｄ＋ｅ＝８である場合には、ｄは２〜７の整数であり、かつｅは１〜６の整数であり；
ｄ＋ｅ＝９である場合には、ｄは２〜８の整数であり、かつｅは１〜７の整数であり；
ｄ＋ｅ＝１０である場合には、ｄは２〜９の整数であり、かつｅは１〜８の整数であり；
ｄ＋ｅ＝１１である場合には、ｄは２〜１０の整数であり、かつｅは１〜９の整数であり；
ｄ＋ｅ＝１２である場合には、ｄは２〜１１の整数であり、かつｅは１〜１０の整数であり；
ｄ＋ｅ＝１３である場合には、ｄは２〜１２の整数であり、かつｅは１〜１１の整数であり；
ｄ＋ｅ＝１４である場合には、ｄは２〜１３の整数であり、かつｅは１〜１２の整数である。
【００９０】
上述の中鎖分岐界面活性剤化合物において、特定の分岐点（例えば、上記式中のＲ、Ｒ１及び／又はＲ２部分の鎖に沿った場所）が、界面活性剤の主鎖に沿った他の分岐点より好ましい。以下の式は、モノ−メチル分岐アルキルＡｂ部分に関して、中鎖分岐範囲（すなわち、分岐点が生じるところ）、好ましい中鎖分岐範囲、及びより好ましい中鎖分岐範囲を示す。
【００９１】
【化８】
2017529438.tif 000009
【００９２】
モノ−メチル置換界面活性剤では、これらの範囲は、鎖の２つの末端炭素原子及び−Ｘ−Ｂ基に直接隣接した炭素原子を除外する。
【００９３】
以下の式は、ジメチル置換アルキルＡｂ部分に関して、中鎖分岐範囲、好ましい中鎖分岐範囲、及びより好ましい中鎖分岐範囲を示す。
【００９４】
【化９】
2017529438.tif 000010
【００９５】
分岐状アニオン性界面活性剤は、分岐状修飾アルキルベンゼンスルホネート（ＭＬＡＳ）を含み得る。
【００９６】
分岐状アニオン性界面活性剤は、疎水性鎖に沿ってランダムに分布したメチル分岐を含む、Ｃ１２／１３のアルコール系界面活性剤、例えば、Ｓａｓｏｌ社から入手可能な、Ｓａｆｏｌ（登録商標）、Ｍａｒｌｉｐａｌ（登録商標）を含み得る。
【００９７】
更なる好適な分岐状アニオン性洗浄性界面活性剤としては、イソプレノイド系多分岐洗剤アルコールの界面活性剤誘導体が挙げられる。イソプレノイド系界面活性剤及びイソプレノイド誘導体も、「Ｃｏｍｐｒｅｈｅｎｓｉｖｅ  Ｎａｔｕｒａｌ  Ｐｒｏｄｕｃｔｓ  Ｃｈｅｍｉｓｔｒｙ：Ｉｓｏｐｒｅｎｏｉｄｓ  Ｉｎｃｌｕｄｉｎｇ  Ｃａｒｏｔｅｎｏｉｄｓ  ａｎｄ  Ｓｔｅｒｏｉｄｓ（第２巻）」という表題の文献（Ｂａｒｔｏｎ及びＮａｋａｎｉｓｈｉ著、（著作権）１９９９年、Ｅｌｓｅｖｉｅｒ  Ｓｃｉｅｎｃｅ社）に記載されており、構造Ｅに含まれており、この文献は参照により本明細書に組み込まれる。
【００９８】
更に好適な分岐状アニオン性洗浄性界面活性剤としては、アンテイソアルコール及びイソ−アルコールに由来するものが挙げられる。
【００９９】
好適な分岐状アニオン性界面活性剤としては、ゲルべアルコール系界面活性剤も挙げられる。ゲルべアルコールは、分岐点が常に第２の炭素位置にある、２つの直鎖炭素鎖を有する、分岐一級単官能性アルコールである。ゲルべアルコールは、化学的には、２−アルキル−１−アルカノールと記載される。ゲルべアルコールは、概して、１２個の炭素原子〜３６個の炭素原子を有する。Ｇｕｅｒｂｅｔアルコールは、式：（Ｒ１）（Ｒ２）ＣＨＣＨ２ＯＨ（式中、Ｒ１は直鎖アルキル基であり、Ｒ２は直鎖アルキル基であり、Ｒ１及びＲ２中の炭素原子の合計は１０〜３４であり、Ｒ１及びＲ２の両方が存在している）により表すことができる。ゲルベアルコールは、Ｓａｓｏｌ社から商品名Ｉｓｏｆｏｌ（登録商標）アルコールとして、またＣｏｇｎｉｓ社から商品名Ｇｕｅｒｂｅｔｏｌとして市販されている。
【０１００】
上に説明した分岐状界面活性剤のそれぞれは、生物系の成分を含み得る。分岐状界面活性剤は、少なくとも約５０％の、少なくとも約６０％の、少なくとも約７０％の、少なくとも約８０％の、少なくとも約９０％の、少なくとも約９５％の、少なくとも約９７％の、又は約１００％の生物系の成分を有し得る。
【０１０１】
アニオン性／非イオン性の組み合わせ
洗浄組成物は、アニオン性界面活性剤と非イオン性界面活性剤とを組み合わせたものを含み得る。アニオン性界面活性剤対非イオン性界面活性剤の重量比は、少なくとも約２：１であり得る。アニオン性界面活性剤対非イオン性界面活性剤の重量比は、少なくとも約５：１であり得る。アニオン性界面活性剤対非イオン性界面活性剤の重量比は、少なくとも約１０：１であり得る。
【０１０２】
界面活性剤の組み合わせ
洗浄組成物は、アニオン性界面活性剤、及び非イオン性界面活性剤、例えば、Ｃ１２〜Ｃ１８のアルキルエトキシレートを含み得る。洗浄組成物は、Ｃ１０〜Ｃ１５のアルキルベンゼンスルホネート（ＬＡＳ）及び別のアニオン性界面活性剤、例えば、Ｃ１０〜Ｃ１８のアルキルアルコキシサルフェート（ＡＥｘＳ、ただしｘは、１〜３０である）を含み得る。洗浄組成物は、アニオン性界面活性剤、及びカチオン性界面活性剤、例えば、ジメチルヒドロキシエチルラウリルアンモニウムクロリドを含み得る。洗浄組成物は、アニオン性界面活性剤、及び双性イオン性界面活性剤、例えば、Ｃ１２〜Ｃ１４のジメチルアミンオキシドを含み得る。
【０１０３】
洗浄補助添加剤
本発明の洗浄組成物はまた、洗浄補助添加剤を含有してもよい。好適な洗浄補助添加剤としては、ビルダー、構造化剤又は増粘剤、泥汚れ除去／最付着防止剤、高分子汚れ遊離剤、高分子分散剤、高分子油脂洗浄剤、酵素、酵素安定化系、漂白化合物、漂白剤、漂白活性剤、漂白触媒、増白剤、染料、色相剤、移染防止剤、キレート剤、抑泡剤、柔軟剤、及び芳香剤、が挙げられる。
【０１０４】
酵素
本明細書の洗剤組成物は、洗浄性能上の利益及び／又は布地ケア上の利益を提供する、１種類以上の酵素を含み得る。好適な酵素の例としては、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、マンナナーゼ、ペクテートリアーゼ、ケラチナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられるが、これらに限らない。典型的な組み合わせは、例えば、プロテアーゼ及びリパーゼをアミラーゼとともに含み得る酵素カクテルである。前述の追加の酵素が洗剤組成物中に存在する場合、消費者製品の約０．００００１〜約２重量％の、約０．０００１〜約１重量％の、又は約０．００１〜約０．５重量％の酵素タンパク質の濃度で存在してよい。
【０１０５】
酵素は、プロテアーゼであり得る。好適なプロテアーゼには、メタロプロテアーゼ及びセリンプロテアーゼが挙げられ、例えばサブチリシン（ＥＣ  ３．４．２１．６２）のような、中性又はアルカリ性微生物セリンプロテアーゼが含まれる。好適なプロテアーゼとしては、動物、植物又は微生物由来のものが挙げられる。好適なプロテアーゼは、微生物由来のものであり得る。好適なプロテアーゼとしては、前述の好適なプロテアーゼの化学的又は遺伝的に改変された突然変異体が挙げられる。好適なプロテアーゼは、例えば、アルカリ性微生物プロテアーゼ又は／及びトリプシン型プロテアーゼのような、セリンプロテアーゼであり得る。好適な中性又はアルカリ性プロテアーゼの例として挙げられるのは：
（ａ）米国特許第６，３１２，９３６（Ｂ１）号、同第５，６７９，６３０号、同第４，７６０，０２５号、同第７，２６２，０４２号及び国際公開第ＷＯ０９／０２１８６７号に記載されている、バチルス・レンタス、バチルス・アルカロフィルス、バチルス・ズブチリス、バチルス・アミロリケファシエンス、バチルス・プミルス及びバチルス・ギブソニーなどのバチルスから誘導されるものを含む、サブチリシン（ＥＣ  ３．４．２１．６２）；
（ｂ）国際公開第ＷＯ８９／０６２７０号に記述されているフサリウムプロテアーゼ、及び同第ＷＯ０５／０５２１６１号及び同第ＷＯ０５／０５２１４６号に記述されているセルロモナスに由来するキモトリプシンプロテアーゼを含む、トリプシン（例えば、ブタ又はウシ由来）などのトリプシン型又はキモトリプシン型プロテアーゼ；及び、
（ｃ）国際公開第ＷＯ０７／０４４９９３（Ａ２）号に記述されている、バチルス・アミロリケファシエンスから誘導されるものを含むメタロプロテアーゼ。
【０１０６】
好ましいプロテアーゼとしては、バチルス・ギブソニー又はバチルス・レンタスから誘導されるものが挙げられる。
【０１０７】
好適な市販のプロテアーゼ酵素としては、Ｎｏｖｏｚｙｍｅｓ  Ａ／Ｓ（Ｄｅｎｍａｒｋ）より、Ａｌｃａｌａｓｅ（登録商標）、Ｓａｖｉｎａｓｅ（登録商標）、Ｐｒｉｍａｓｅ（登録商標）、Ｄｕｒａｚｙｍ（登録商標）、Ｐｏｌａｒｚｙｍｅ（登録商標）、Ｋａｎｎａｓｅ（登録商標）、Ｌｉｑｕａｎａｓｅ（登録商標）、Ｌｉｑｕａｎａｓｅ  Ｕｌｔｒａ（登録商標）、Ｓａｖｉｎａｓｅ  Ｕｌｔｒａ（登録商標）、Ｏｖｏｚｙｍｅ（登録商標）、Ｎｅｕｔｒａｓｅ（登録商標）、Ｅｖｅｒｌａｓｅ（登録商標）及びＥｓｐｅｒａｓｅ（登録商標）の商品名で販売されているもの、Ｇｅｎｅｎｃｏｒ  Ｉｎｔｅｒｎａｔｉｏｎａｌより、Ｍａｘａｔａｓｅ（登録商標）、Ｍａｘａｃａｌ（登録商標）、Ｍａｘａｐｅｍ（登録商標）、Ｐｒｏｐｅｒａｓｅ（登録商標）、Ｐｕｒａｆｅｃｔ（登録商標）、Ｐｕｒａｆｅｃｔ  Ｐｒｉｍｅ（登録商標）、Ｐｕｒａｆｅｃｔ  Ｏｘ（登録商標）、ＦＮ３（登録商標）、ＦＮ４（登録商標）、Ｅｘｃｅｌｌａｓｅ（登録商標）及びＰｕｒａｆｅｃｔ  ＯＸＰ（登録商標）の商品名で販売されているもの、Ｓｏｌｖａｙ  Ｅｎｚｙｍｅｓより、Ｏｐｔｉｃｌｅａｎ（登録商標）及びＯｐｔｉｍａｓｅ（登録商標）の商品名で販売されているもの、Ｈｅｎｋｅｌ／Ｋｅｍｉｒａより入手可能なもの、すなわちＢＬＡＰ（以下の変異Ｓ９９Ｄ＋Ｓ１０１Ｒ＋Ｓ１０３Ａ＋Ｖ１０４Ｉ＋Ｇ１５９Ｓを有する、米国特許第５，３５２，６０４号の図２９で示される配列、以下ＢＬＡＰという）、ＢＬＡＰ  Ｒ（Ｓ３Ｔ＋Ｖ４Ｉ＋Ｖ１９９Ｍ＋Ｖ２０５Ｉ＋Ｌ２１７Ｄを有するＢＬＡＰ）、ＢＬＡＰ  Ｘ（Ｓ３Ｔ＋Ｖ４Ｉ＋Ｖ２０５Ｉを有するＢＬＡＰ）及びＢＬＡＰ  Ｆ４９（Ｓ３Ｔ＋Ｖ４Ｉ＋Ａ１９４Ｐ＋Ｖ１９９Ｍ＋Ｖ２０５Ｉ＋Ｌ２１７Ｄを有するＢＬＡＰ）（全てＨｅｎｋｅｌ／Ｋｅｍｉｒａより入手可能）、並びに花王のＫＡＰ（突然変異体Ａ２３０Ｖ＋Ｓ２５６Ｇ＋Ｓ２５９Ｎを有するバチルス・アルカロフィルス由来のサブチリシン）が挙げられる。
【０１０８】
好適なα−アミラーゼとしては、細菌又は真菌由来のものが挙げられる。化学的に又は遺伝的に修飾された突然変異体（変異体）が含まれる。好ましいアルカリ性α−アミラーゼは、Ｂａｃｉｌｌｕｓの菌種から、例えば、Ｂａｃｉｌｌｕｓ  ｌｉｃｈｅｎｉｆｏｒｍｉｓ、Ｂａｃｉｌｌｕｓ  ａｍｙｌｏｌｉｑｕｅｆａｃｉｅｎｓ、Ｂａｃｉｌｌｕｓ  ｓｔｅａｒｏｔｈｅｒｍｏｐｈｉｌｕｓ、Ｂａｃｉｌｌｕｓ  ｓｕｂｔｉｌｉｓ、又は他のＢａｃｉｌｌｕｓ  ｓｐ、例えばＢａｃｉｌｌｕｓ  ｓｐ．ＮＣＩＢ  １２２８９、ＮＣＩＢ  １２５１２、ＮＣＩＢ  １２５１３、ＤＳＭ  ９３７５（米国特許第７，１５３，８１８号）、ＤＳＭ  １２３６８、ＤＳＭＺ  ｎｏ．１２６４９、ＫＳＭ  ＡＰ１３７８（国際公開第ＷＯ９７／００３２４号）、ＫＳＭ  Ｋ３６又はＫＳＭ  Ｋ３８（欧州特許第１，０２２，３３４号）に由来する。好ましいアミラーゼとしては次のものが挙げられる：
（ａ）国際公開第ＷＯ  ９４／０２５９７号、同第ＷＯ  ９４／１８３１４号、同第ＷＯ  ９６／２３８７４号、及び同第ＷＯ  ９７／４３４２４号に記載の変異体、特に国際公開第ＷＯ  ９６／２３８７４号で配列番号２として記載の酵素に対して、位置：１５、２３、１０５、１０６、１２４、１２８、１３３、１５４、１５６、１８１、１８８、１９０、１９７、２０２、２０８、２０９、２４３、２６４、３０４、３０５、３９１、４０８、及び４４４のうちの１つ以上が置換された変異体；
（ｂ）米国特許第５，８５６，１６４号及び国際公開第ＷＯ９９／２３２１１号、同第ＷＯ９６／２３８７３号、同第ＷＯ００／６００６０号、及び同第ＷＯ  ０６／００２６４３号に記載の変異体、特に国際公開第ＷＯ０６／００２６４３号で配列番号１２として記載のＡＡ５６０酵素に対して、位置：
２６、３０、３３、８２、３７、１０６、１１８、１２８、１３３、１４９、１５０、１６０、１７８、１８２、１８６、１９３、２０３、２１４、２３１、２５６、２５７、２５８、２６９、２７０、２７２、２８３、２９５、２９６、２９８、２９９、３０３、３０４、３０５、３１１、３１４、３１５、３１８、３１９、３３９、３４５、３６１、３７８、３８３、４１９、４２１、４３７、４４１、４４４、４４５、４４６、４４７、４５０、４６１、４７１、４８２、４８４のうちの１つ以上が置換された変異体であって、好ましくはＤ１８３＊及びＧ１８４＊の欠損を含有する変異体；
（ｃ）国際公開第ＷＯ０６／００２６４３号での配列番号４（バチルス属７２２からの野生型酵素）と少なくとも９０％の同一性を示し、特に位置１８３及び１８４で欠損を有する変異体、並びに本明細書に参照により組み込まれる国際公開第ＷＯ００／６００６０号に記載の変異体；
（ｄ）バチルス属７０７（米国特許第６，０９３，５６２号の配列番号７）からの野生型酵素と少なくとも９５％の同一性を示す変異体、特に変異Ｍ２０２、Ｍ２０８、Ｓ２５５、Ｒ１７２、及び／又はＭ２６１を１つ以上含むもの（好ましくはこのアミラーゼは、Ｍ２０２Ｌ、Ｍ２０２Ｖ、Ｍ２０２Ｓ、Ｍ２０２Ｔ、Ｍ２０２Ｉ、Ｍ２０２Ｑ、Ｍ２０２Ｗ、Ｓ２５５Ｎ及び／又はＲ１７２Ｑのうちの１つ以上を含み、特に好ましいのは、Ｍ２０２Ｌ又はＭ２０２Ｔの突然変異を含むものである）；
（ｅ）国際公開第ＷＯ０９／１４９１３０号に記載の変異体、好ましくは国際公開第ＷＯ０９／１４９１３０号での配列番号１又は配列番号２（ゲオバチルス・ステアロファーモフィルスからの野生型酵素）と少なくとも９０％の同一性を呈する変異体、又はその短縮型変異体。
【０１０９】
好適な市販のα−アミラーゼとしては：ＤＵＲＡＭＹＬ（登録商標）、ＬＩＱＵＥＺＹＭＥ（登録商標）、ＴＥＲＭＡＭＹＬ（登録商標）、ＴＥＲＭＡＭＹＬ  ＵＬＴＲＡ（登録商標）、ＮＡＴＡＬＡＳＥ（登録商標）、ＳＵＰＲＡＭＹＬ（登録商標）、ＳＴＡＩＮＺＹＭＥ（登録商標）、ＳＴＡＩＮＺＹＭＥ  ＰＬＵＳ（登録商標）、ＦＵＮＧＡＭＹＬ（登録商標）、及びＢＡＮ（登録商標）（以上、Ｎｏｖｏｚｙｍｅｓ社（デンマーク、Ｂａｇｓｖａｅｒｄ））；ＫＥＭＺＹＭ（登録商標）ＡＴ  ９０００（Ｂｉｏｚｙｍ  Ｂｉｏｔｅｃｈ  Ｔｒａｄｉｎｇ社（オーストリア、Ｗｅｈｌｉｓｔｒａｓｓｅ  ２７ｂ  Ａ−１２００，Ｗｉｅｎ））；ＲＡＰＩＤＡＳＥ（登録商標）、ＰＵＲＡＳＴＡＲ（登録商標）、ＥＮＺＹＳＩＺＥ（登録商標）、ＯＰＴＩＳＩＺＥ  ＨＴ  ＰＬＵＳ（登録商標）、ＰＯＷＥＲＡＳＥ（登録商標）、及びＰＵＲＡＳＴＡＲ  ＯＸＡＭ（登録商標）（Ｇｅｎｅｎｃｏｒ  Ｉｎｔｅｒｎａｔｉｏｎａｌ社（以上、カリフォルニア州、Ｐａｌｏ  Ａｌｔｏ））；並びにＫＡＭ（登録商標）（花王株式会社（日本、〒１０３−８２１０、東京都中央区日本橋茅場町１丁目１４−１０））が挙げられる。好適なアミラーゼとしては、ＮＡＴＡＬＡＳＥ（登録商標）、ＳＴＡＩＮＺＹＭＥ（登録商標）、及びＳＴＡＩＮＺＹＭＥ  ＰＬＵＳ（登録商標）、並びにこれらの混合物が挙げられる。
【０１１０】
そのような酵素は、米国特許第６，９３９，７０２（Ｂ１）号及び米国特許出願公開第２００９／０２１７４６４号に記載されているものなどの「第１サイクルリパーゼ」を含むリパーゼからなる群から選択されてよい。一態様では、リパーゼは第１洗浄用リパーゼ、好ましくはＴ２３１Ｒ変異及びＮ２３３Ｒ変異のうちの１つ以上を含む、サーモマイセスラヌギノサス由来の野生型リパーゼの変異体である。野生型配列は、Ｓｗｉｓｓｐｒｏｔのアクセッション番号Ｓｗｉｓｓ−Ｐｒｏｔ  Ｏ５９９５２（サーモマイセス・ラヌギノサス（フミコーラ・ラヌギノサ）由来の２６９個のアミノ酸（アミノ酸２３〜２９１）である。好ましいリパーゼとしては、商品名Ｌｉｐｅｘ（登録商標）及びＬｉｐｏｌｅｘ（登録商標）で販売されているものが挙げられる。
【０１１１】
他の好ましい酵素としては、エンド−β−１，４−グルカナーゼ活性（Ｅ．Ｃ．３．２．１．４）を呈する微生物由来のエンドグルカナーゼが挙げられ、それには米国特許第７，１４１，４０３（Ｂ２）号におけるアミノ酸配列の配列番号２と少なくとも９０％、好ましくは９４％、より好ましくは９７％、更により好ましくは９９％の同一性の配列を有するバチルス属のメンバー及びこれらの混合物に対して内因性である細菌ポリペプチドが含まれる。好適なエンドグルカナーゼは、商品名Ｃｅｌｌｕｃｌｅａｎ（登録商標）及びＷｈｉｔｅｚｙｍｅ（登録商標）（Ｎｏｖｏｚｙｍｅｓ社（デンマーク、Ｂａｇｓｖａｅｒｄ））として販売されている。
【０１１２】
他の好ましい酵素としては、商品名Ｐｅｃｔａｗａｓｈ（登録商標）、Ｐｅｃｔａｗａｙ（登録商標）、及びＸｐｅｃｔ（登録商標）として販売されているペクテートリアーゼ、並びに商品名Ｍａｎｎａｗａｙ（登録商標）（以上、Ｎｏｖｏｚｙｍｅｓ社（デンマーク、Ｂａｇｓｖａｅｒｄ）から）、及びＰｕｒａｂｒｉｔｅ（登録商標）として（Ｇｅｎｅｎｃｏｒ  Ｉｎｔｅｒｎａｔｉｏｎａｌ社（カリフォルニア州、Ｐａｌｏ  Ａｌｔｏ）から）販売されているマンナーゼが挙げられる。
【０１１３】
酵素安定化系
洗剤組成物は、場合により、組成物の約０．００１〜約１０重量％の、一部の例においては約０．００５〜約８重量％の、及び他の例においては、約０．０１〜約６重量％の酵素安定化系を含み得る。酵素安定化系は、洗浄性酵素と適合性のある、任意の安定化系であり得る。そのような系は、他の処方活性物質によって本質的に提供されてもよく、又は洗剤に使用可能な酵素の処方者若しくは製造業者によって、別個に添加されてもよい。そのような安定化系には、例えば、カルシウムイオン、ホウ酸、プロピレングリコール、短鎖カルボン酸、ボロン酸、塩素漂白剤掃去剤及びこれらの混合物が含まれ得るが、洗剤組成物のタイプ及び物理的形態に応じて異なる安定化問題に対処するように設計される。プロテアーゼを含む水性洗剤組成物の場合は、例えば、ボレート、４−ホルミルフェニルボロン酸、フェニルボロン酸、及びこれらの誘導体を含むホウ素化合物などの可逆的プロテアーゼ阻害剤、又はカルシウムホルメート、ナトリウムホルメート、及び１，２−プロパンジオールなどの化合物を添加して、安定性を更に改善してもよい。
【０１１４】
ビルダー
本発明の洗剤組成物は任意選択でビルダーを含んでもよい。ビルダー入り洗浄組成物は、典型的には、組成物の全重量に対して、少なくとも約１重量％のビルダーを含む。液体洗剤組成物は、組成物の総重量に対して、最大約１０重量％のビルダーを、及び一部の例においては、最大約８重量％のビルダーを含み得る。顆粒状洗剤組成物は、組成物の重量の最大約３０％のビルダーを、かつ一部の例においては、組成物の重量の最大約５％のビルダーを含み得る。
【０１１５】
アルミノシリケート（例えば、ゼオライトＡ、ゼオライトＰ、及びゼオライトＭＡＰなどのゼオライトビルダー）及びシリケートから選択されるビルダーは、洗浄水の鉱物質硬度、特にカルシウム及び／又はマグネシウムの制御、表面からの微粒子汚れの除去を助ける。好適なビルダーは、例えばポリホスフェート（例えば、ナトリウムトリ−ポリホスフェート）のようなホスフェート、特に、それらのナトリウム塩；カーボネート、ビカーボネート、セスキカーボネート、及び、炭酸ナトリウム又はセスキカーボネート以外のカーボネート鉱物；有機モノ−、ジ−、トリ−、及びテトラカルボキシレート、特に、酸、ナトリウム、カリウム又はアルカノールアンモニウム塩形態の水溶性非界面活性剤カルボキシレート、並びに脂肪族及び芳香族などの種類の水溶性低分子ポリマーカルボキシレート；及び、フィチン酸が挙げられる。これらは、例えばｐＨ緩衝化の目的のためのホウ酸塩によって、又は硫酸塩、特に硫酸ナトリウム及び安定した界面活性剤及び／又はビルダー含有洗剤組成物の工業技術に重要であり得る任意の他の充填剤又は担体によって補完され得る。更なる好適な洗剤ビルダーは、クエン酸、乳酸、脂肪酸、ポリカルボキシレートビルダー、例えばアクリル酸のコポリマー、アクリル酸及びマレイン酸のコポリマー、並びにアクリル酸及び／又はマレイン酸、及び多様なタイプの追加の官能基を有するその他の好適なエチレン系モノマーのコポリマーから選択されるものでよい。鎖状構造を有する合成結晶性イオン交換材料又はその水和物、ｘ（Ｍ２Ｏ）・ｙＳｉＯ２・ｚＭ’Ｏ（米国特許第５，４２７，７１１号に教示されているように、式中、Ｍは、Ｎａ及び／又はＫであり、Ｍ’はＣａ及び／又はＭｇであり、ｙ／ｘの割合は、０．５〜２．０であり、ｚ／ｘは、０．００５〜１．０である）という一般的な無水物形態によって表される組成物も、本発明におけるビルダーとして用いるのに好適である。
【０１１６】
あるいは、組成物はビルダーを実質的に含まなくともよい。
【０１１７】
構造剤／増粘剤
ｉ．ジ−ベンジリデンポリオールアセタール誘導体
流体洗剤組成物は、ジベンジリデンポリオールアセタール誘導体（ＤＢＰＡ）を約０．０１〜約１重量％、約０．０５〜約０．８重量％、約０．１〜約０．６重量％、又は約０．３〜約０．５重量％の量で含み得る。ＤＢＰＡ誘導体は、ジベンジリデンソルビトールアセタール誘導体（ＤＢＳ）を含み得る。ＤＢＳ誘導体は、以下からなる群から選択し得る：１，３：２，４−ジベンジリデンソルビトール；１，３：２，４−ジ（ｐ−メチルベンジリデン）ソルビトール；１，３：２，４−ジ（ｐ−クロロベンジリデン）ソルビトール；１，３：２，４−ジ（２，４−ジメチルジベンジリデン）ソルビトール；１，３：２，４−ジ（ｐ−エチルベンジリデン）ソルビトール；及び、１，３：２，４−ジ（３，４−ジメチルジベンジリデン）ソルビトール、又はそれらの混合物。
【０１１８】
ｉｉ．細菌セルロース
また、流体洗剤組成物は、約０．００５〜約１重量％の細菌セルロース網状構造物を含み得る。用語「細菌セルロース」は、ＣＰＫｅｌｃｏ  Ｕ．Ｓ．社によるＣＥＬＬＵＬＯＮ（登録商標）等のアセトバクター（Acetobacter）属の細菌の発酵を介して生成される任意の種類のセルロースを含み、ミクロフィブリル化セルロース、網状細菌セルロース等と一般に称される材料を含む。一態様では、その繊維の断面寸法は、１．６ｎｍ〜３．２ｎｍ×５．８ｎｍ〜１３３ｎｍである。更に、細菌セルロース繊維の平均ミクロ繊維長は、少なくとも約１００ｎｍ、又は約１００〜約１，５００ｎｍである。１つの態様では、細菌セルロースミクロ繊維は、約１００：１〜約４００：１、又は約２００：１〜約３００：１のアスペクト比、すなわち、平均ミクロ繊維の長さをミクロ繊維の最大断面幅で除したものを有する。
【０１１９】
ｉｉｉ．被覆された細菌セルロース
１つの態様では、細菌セルロースは、高分子増粘剤で少なくとも部分的に被覆される。１つの態様では、少なくとも部分的に被覆された細菌セルロースは、約０．１〜約５重量％、又は約０．５〜約３重量％の細菌セルロース、及び約１０〜約９０重量％の高分子増粘剤を含む。好適な細菌セルロースとしては、上記細菌セルロースを挙げることができ、好適な高分子増粘剤としては、カルボキシメチルセルロース、カチオン性ヒドロキシメチルセルロース、及びこれらの混合物が挙げられる。
【０１２０】
ｉｖ．非細菌セルロース由来のセルロース繊維
１つの態様では、組成物は、組成物の約０．０１〜約５重量％のセルロース繊維を更に含み得る。そのセルロース繊維は野菜、果物又は木材から抽出され得る。市販されているもの例は、ＦＭＣ社から市販のＡｖｉｃｅｌ（登録商標）、Ｆｉｂｅｒｓｔａｒ社から市販のＣｉｔｒｉ−Ｆｉ、又はＣｏｓｕｎ社から市販のＢｅｔａｆｉｂである。
【０１２１】
ｖ．非高分子結晶質ヒドロキシル官能性物質
１つの態様では、組成物は、組成物の約０．０１〜約１重量％の非高分子結晶質ヒドロキシル官能性構造化剤を更に含み得る。その非高分子結晶質ヒドロキシル官能性構造化剤は、一般的に、最終流体洗剤組成物への分散を補助するために予め乳化が可能な結晶性グリセリドを含み得る。１つの態様では、結晶性グリセリドとしては、液体洗剤組成物において結晶化させることができる限り、硬化ヒマシ油又は「ＨＣＯ」又はその誘導体が挙げられる。
【０１２２】
ｖｉ．高分子構造剤
本発明の流体洗剤組成物は、約０．０１〜約５重量％の天然由来及び／又は合成の高分子構造化剤を含み得る。本発明で使用する天然由来の高分子構造化剤の例としては、ヒドロキシエチルセルロース、疎水変性ヒドロキシエチルセルロース、カルボキシメチルセルロース、多糖誘導体、及びこれらの混合物が挙げられる。好適な多糖誘導体としては、ペクチン、アルギン酸塩、アラビノガラクタン（アラビアゴム）、カラギーナン、ジェランガム、キサンタンガム、グアーガム及びこれらの混合物が挙げられる。本発明で用いる合成高分子構造化剤の例としては、ポリカルボキシレート、ポリアクリレート、疎水性変性エトキシル化ウレタン、疎水性変性非イオン性ポリオール、及びこれらの混合物が挙げられる。一態様では、そのポリカルボキシレートポリマーは、ポリアクリレート、ポリメタクリレート、又はこれらの混合物である。別の態様では、ポリアクリレートは、不飽和モノ−又はジ−炭酸と、（メタ）アクリル酸のＣ１〜Ｃ３０アルキルエステルとのコポリマーである。そのコポリマーは、商標名Ｃａｒｂｏｐｏｌ  Ａｑｕａ  ３０としてＮｏｖｅｏｎ社から入手可能である。
【０１２３】
ｖｉｉ．ジアミドゲル化剤
一態様では、本外部構造化系は、分子量が約１５０ｇ／モル〜約１，５００ｇ／モル、又は約５００ｇ／モル〜約９００ｇ／モルのジアミドゲル化剤を含み得る。このようなジアミドゲル化剤は、少なくとも２個の窒素原子を含んでよく、前記窒素原子のうちの少なくとも２個は、アミド官能性置換基を形成する。一態様では、アミド基は異なるものである。別の態様では、アミド官能性基は同じものである。ジアミドゲル化剤は、以下の式を有する：
【０１２４】
【化１０】
2017529438.tif 000011
（式中、
Ｒ１及びＲ２は、アミノ官能性末端基、又は更にはアミド官能性末端基であり、１つの態様では、Ｒ１及びＲ２は、ｐＨ調整可能基を含んでよく、ｐＨ調整可能なアミドゲル化剤は、約１〜約３０、又は更には約２〜約１０のｐＫａを有し得る。）１つの態様では、ｐＨ調整可能基は、ピリジンを含んでよい。１つの態様では、Ｒ１とＲ２とは異なっていてよい。別の態様では、それらは同じであってもよい。
Ｌは、１４〜５００ｇ／モルの分子量の連結部分である。１つの態様では、Ｌは、２〜２０個の炭素原子を含む炭素鎖を含んでよい。別の態様では、Ｌは、ｐＨ調整可能基を含んでよい。１つの態様では、ｐＨ調整可能基は、二級アミンである。
【０１２５】
１つの態様では、Ｒ１、Ｒ２又はＬのうちの少なくとも１つは、ｐＨ調整可能基を含み得る。
【０１２６】
ジアミドゲル化剤の非限定的な例は、次の通りである。
Ｎ，Ｎ’−（２Ｓ，２’Ｓ）−１，１’−（ドデカン−１，１２−ジイルビス（アザンジイル））ビス（３−メチル−１−オキソブタン−２，１−ジイル）ジイソニコチンアミド；
【０１２７】
【化１１】
2017529438.tif 000012
ジベンジル（２Ｓ，２’Ｓ）−１，１’−（プロパン−１，３−ジイルビス（アザンジイル））ビス（３−メチル−１−オキソブタン−２，１−ジイル）ジカルバメート；
【０１２８】
【化１２】
2017529438.tif 000013
ジベンジル（２Ｓ，２’Ｓ）−１，１’−（ドデカン−１，１２−ジイルビス（アザンジイル））ビス（１−オキソ−３−フェニルプロパン−２，１−ジイル）ジカルバメート。
【０１２９】
【化１３】
2017529438.tif 000014
【０１３０】
高分子分散剤
洗剤組成物は１種類以上の高分子分散剤を含み得る。例としては、カルボキシメチルセルロース、ポリ（ビニル−ピロリドン）、ポリ（エチレングリコール）、ポリ（ビニルアルコール）、ポリ（ビニルピリジン−Ｎ−オキシド）、ポリ（ビニルイミダゾール）、ポリアクリル酸塩等のポリカルボン酸塩、マレイン酸／アクリル酸コポリマー、及びメタクリル酸ラウリル／アクリル酸コポリマーが挙げられる。
【０１３１】
洗剤組成物は、ビス（（Ｃ２Ｈ５Ｏ）（Ｃ２Ｈ４Ｏ）ｎ）（ＣＨ３）−Ｎ＋−ＣｘＨ２ｘ−Ｎ＋−（ＣＨ３）−ビス（（Ｃ２Ｈ５Ｏ）（Ｃ２Ｈ４Ｏ）ｎ）（式中、ｎは２０〜３０であり、ｘは３〜８である）の一般構造を有する化合物、又はその硫酸化若しくはスルホン化変異体のような両親媒性洗浄ポリマーを１種類以上含み得る。
【０１３２】
洗剤組成物は、布地及び表面から油脂粒子を除去するように、親水性と疎水性が釣り合っている両親媒性アルコキシル化油脂洗浄ポリマーを含み得る。両親媒性アルコキシル化油脂洗浄ポリマーは、コア構造及びコア構造に結合した複数のアルコキシレート基を含む。これらは、例えば内側のポリエチレンオキシドブロックと外側のポリプロピレンオキシドブロックとを有するアルコキシル化ポリアルキレンイミンを含み得る。このような材料としては、エトキシル化ポリエチレンイミン、エトキシル化ヘキサメチレンジアミン、及びこれらをスルフェート化したものが挙げられるがこれに限定されない。ポリプロポキシル化誘導体も包含させることができる。多種多様なアミン及びポリアルキレンイミンを、さまざまな程度にまでアルコキシル化することが可能である。有用な例は、ＮＨ当たり２０個のＥＯ基までエトキシル化した６００ｇ／モルのポリエチレンイミンコアであり、ＢＡＳＦ社から入手可能である。本明細書で記述される洗剤組成物は、洗剤組成物の約０．１〜約１０重量％、一部の例では、約０．１〜約８重量％、及びその他の例では、約０．１〜約６重量％のアルコキシ化ポリアミンを含み得る。
【０１３３】
カルボキシレートポリマー（本発明の洗剤組成物）はまた、１つ以上のカルボキシレートポリマーを含み得るが、それは場合によりスルホン化し得る。好適なカルボキシレートポリマーとしては、マレアート／アクリレートランダムコポリマー又はポリ（メタ）アクリレートホモポリマーが挙げられる。一態様において、カルボキシレートポリマーは、４，０００〜９，０００Ｄａ、又は６，０００〜９，０００Ｄａの分子量を有するポリ（メタ）アクリレートホモポリマーである。
【０１３４】
アルコキシル化ポリカルボキシレートも、油脂を除去するために本明細書の洗剤組成物中で使用し得る。そのような材料は、国際公開第ＷＯ  ９１／０８２８１号及び同第ＰＣＴ９０／０１８１５号に記載されている。化学的に、これらの材料は、７〜８個の（メタ）アクリレート単位ごとに１つのエトキシ側鎖を有するポリ（メタ）アクリレートを含む。側鎖は、式−（ＣＨ２ＣＨ２Ｏ）ｍ（ＣＨ２）ｎＣＨ３を有し、式中、ｍは、２〜３であり、ｎは、６〜１２である。ポリアクリレート「主鎖」に側鎖がエステル結合すると、「櫛形」ポリマー型構造がもたらされる。分子量はさまざまであるが、通常は約２０００〜約５０，０００の範囲内であり得る。本明細書中で記述される洗剤組成物は、洗剤組成物の約０．１〜約１０重量％、一部の例では、約０．２５〜約５重量％、及びその他の例では、約０．３〜約２重量％のアルコキシル化ポリカルボキシレートを含み得る。
【０１３５】
洗剤組成物は、両親媒性グラフトコポリマーを含み得る。好適な両親媒性グラフトコポリマーは、（ｉ）ポリエチレングリコール主鎖；及び、（ｉｉ）ポリ酢酸ビニル、ポリビニルアルコール、及びこれらの混合物から選択される少なくとも１つのペンダント部分；を含む。好適な両親媒性グラフトコポリマーは、ＢＡＳＦ社から供給される、Ｓｏｋａｌａｎ（登録商標）ＨＰ２２である。好適なポリマーは、ランダムグラフトコポリマー、好ましくは、ポリエチレンオキシド主鎖と複数のポリ酢酸ビニル側鎖とを有するポリ酢酸ビニルグラフト化ポリエチレンオキシドコポリマーを含む。ポリエチレンオキシド主鎖の分子量は、典型的には約６０００であり、ポリエチレンオキシドのポリ酢酸ビニルに対する重量比は、約４０〜６０であり、エチレンオキシド５０単位当たり１グラフト点を超えない。
【０１３６】
汚れ遊離ポリマー
本発明の洗剤組成物はまた以下の構造（Ｉ）、（ＩＩ）又は（ＩＩＩ）の１つにより定義される構造を有する１つ以上の汚れ放出ポリマーをも含み得る：
（Ｉ）        −［（ＯＣＨＲ１−ＣＨＲ２）ａ−Ｏ−ＯＣ−Ａｒ−ＣＯ−］ｄ
（ＩＩ）      −［（ＯＣＨＲ３−ＣＨＲ４）ｂ−Ｏ−ＯＣ−ｓＡｒ−ＣＯ−］ｅ
（ＩＩＩ）    −［（ＯＣＨＲ５−ＣＨＲ６）ｃ−ＯＲ７］ｆ
式中、
ａ、ｂ、及びｃは、１〜２００であり、
ｄ、ｅ、及びｆは、１〜５０であり、
Ａｒは、１，４−置換フェニレンであり、
ｓＡｒは、５位がＳＯ３Ｍｅにより置換されている、１，３−置換フェニレンであり、
Ｍｅは、Ｌｉ、Ｋ、Ｍｇ／２、Ｃａ／２、Ａｌ／３、アンモニウム、モノ−、ジ−、トリ−若しくはテトラ−アルキルアンモニウム（ここで、アルキル基は、Ｃ１〜Ｃ１８アルキル又はＣ２〜Ｃ１０ヒドロキシアルキルである）、又はこれらの混合物であり、
Ｒ１、Ｒ２、Ｒ３、Ｒ４、Ｒ５及びＲ６は、それぞれ独立して、Ｈ又はＣ１〜Ｃ１８  ｎ−、又はイソ−アルキルから選択され、
Ｒ７は、直鎖状若しくは分岐鎖状のＣ１〜Ｃ１８アルキル、又は直鎖状若しくは分岐鎖状のＣ２〜Ｃ３０アルケニル、又は５〜９個の炭素原子を有するシクロアルキル基、又はＣ８〜Ｃ３０アリール基、又はＣ６〜Ｃ３０アリールアルキル基である。
【０１３７】
好適な汚れ放出ポリマーは、Ｒｅｐｅｌ−ｏ−ｔｅｘポリマー（例えば、Ｒｈｏｄｉａにより供給されているＲｅｐｅｌ−ｏ−ｔｅｘ  ＳＦ、ＳＦ−２及びＳＲＰ６）などのポリエステル汚れ放出ポリマーである。他の好適な汚れ放出ポリマーとしては、Ｔｅｘｃａｒｅポリマー（例えば、Ｃｌａｒｉａｎｔ社により供給されているＴｅｘｃａｒｅ  ＳＲＡ１００、ＳＲＡ３００、ＳＲＮ１００、ＳＲＮ１７０、ＳＲＮ２４０、ＳＲＮ３００及びＳＲＮ３２５など）が挙げられる。他の好適な汚れ放出ポリマーは、Ｍａｒｌｏｑｕｅｓｔポリマー（例えば、Ｓａｓｏｌ社により供給されているＭａｒｌｏｑｕｅｓｔ  ＳＬなど）である。
【０１３８】
セルロース性ポリマー
本発明の洗浄組成物また、アルキルセルロース、アルキルアルコキシアルキルセルロース、カルボキシアルキルセルロース、アルキルカルボキシアルキルセルロースから選択されるものなどのセルロース系ポリマーを１種類以上含み得る。一態様では、セルロース系ポリマーは、カルボキシメチルセルロース、メチルセルロース、メチルヒドロキシエチルセルロース、メチルカルボキシメチルセルロース及びこれらの混合物を含む群から選択される。一態様では、カルボキシメチルセルロースは、０．５〜０．９のカルボキシメチル置換度及び１００，０００〜３００，０００Ｄａの分子量を有する。
【０１３９】
高分子分散剤の例は、米国特許第３，３０８，０６７号、欧州特許出願第６６９１５号、欧州特許第１９３，３６０号、及び同第１９３，３６０号に見出される。
【０１４０】
追加的アミン
汚れた材料から油脂及び微粒子を更に除去するために、追加的なアミンが本明細書に記載される洗浄組成物において使用され得る。本明細書に記載される洗剤組成物には、洗剤組成物の約０．１〜約１０重量％、一部の実施例では、約０．１〜約４重量％、及び他の実施例では、約０．１〜約２重量％の追加的なアミンが含まれ得る。追加的なアミンの非限定的な例には、ポリエーテルアミン、ポリアミン、オリゴアミン、トリアミン、ジアミン、ペンタアミン、テトラアミン、又はそれらを組み合わせたものを挙げることができるが、それらに限られない。好適な追加的アミンの具体的な例としては、テトラエチレンペンタアミン、トリエチレンテトラアミン、ジエチレントリアミン、又はこれらの混合物が挙げられる。
【０１４１】
漂白剤−本発明の洗剤組成物は、１種類以上の漂白剤を含み得る。漂白触媒以外の好適な漂白剤としては、光触媒、漂白活性化剤、過酸化水素、過酸化水素源、予形成過酸、及びこれらの混合物が挙げられる。一般的に、漂白剤を用いる場合、本発明の線状組成物は、線状組成物の約０．１〜約５０重量％、又は更には約０．１〜約２５重量％の漂白剤を含み得る。好適な漂白剤の例としては、以下のものが挙げられる：予形成過酸；過酸化水素源；Ｒ−（Ｃ＝Ｏ）−Ｌで表される漂白活性化剤（式中、Ｒはアルキル基であり、場合により分岐状であり、漂白活性化剤が疎水性である場合には、６〜１４個の炭素原子、又は８〜１２個の炭素原子を有し、漂白活性化剤が親水性の場合、６個未満の炭素原子、又は更には４個未満の炭素原子を有し；かつ、Ｌは脱離基である。）好適な漂白活性化剤類としては、ドデカノイルオキシベンゼンスルホネート、デカノイルオキシベンゼンスルホネート、デカノイルオキシ安息香酸又はその塩類、３，５，５−トリメチルヘキサノイルオキシベンゼンスルホネート、テトラアセチルエチレンジアミン（ＴＡＥＤ）、及びノナノイルオキシベンゼンスルホネート（ＮＯＢＳ）が挙げられる。
【０１４２】
漂白触媒−本発明の洗剤組成物はまた、ペルオキシ酸及び／又はその塩から酸素原子を受け取り、その酸素原子を酸化可能な基質に移送することができる１種類以上の漂白触媒を含み得る。好適な漂白触媒は、以下のものを含むが、それらに限られない：イミニウムカチオン及びポリイオン；イミニウム双性イオン；変性アミン；変性アミンオキシド；Ｎ−スルホニルイミン；Ｎ−ホスホニルイミン；Ｎ−アシルイミン；チアジアゾールジオキシド；ペルフルオロイミン；環状糖ケトン、及びそれらの混合物。
【０１４３】
増白剤
光学増白剤若しくはその他の増白剤、又は白化剤を、組成物の約０．０１〜約１．２重量％の濃度で、本明細書に記載の洗剤組成物中に組み込むこともできる。本発明にとって好適な市販の蛍光増白剤は、以下のサブグループに分類可能であるが、それらに限られない：スチルベン、ピラゾリン、クマリン、ベンゾキサゾール、カルボン酸、メチンシアニン、ジベンゾチオフェン−５，５−ジオキシド、アゾール、５及び６員環の複素環、並びにその他の様々な物質の誘導体。かかる増白剤の例は、「Ｔｈｅ  Ｐｒｏｄｕｃｔｉｏｎ  ａｎｄ  Ａｐｐｌｉｃａｔｉｏｎ  ｏｆ  Ｆｌｕｏｒｅｓｃｅｎｔ  Ｂｒｉｇｈｔｅｎｉｎｇ  Ａｇｅｎｔｓ」（Ｍ．Ｚａｈｒａｄｎｉｋ、Ｊｏｈｎ  Ｗｉｌｅｙ  ＆  Ｓｏｎｓ発行、（Ｎｅｗ  Ｙｏｒｋ）（１９８２））に開示されている。本発明の組成物に有用である光学増白剤の具体的な非限定的な例は、米国特許第４，７９０，８５６号及び同第３，６４６，０１５号、同第７，８６３，２３６及びそれと同等の中国特許第１７６４７１４号に特定されているものである。
【０１４４】
一部の例では、本明細書の蛍光増白剤は、以下の式（１）の化合物を含む：
【０１４５】
【化１４】
2017529438.tif 000015
（式中：Ｘ１、Ｘ２、Ｘ３、及びＸ４は、−Ｎ（Ｒ１）Ｒ２であり（式中、Ｒ１及びＲ２はそれぞれ独立して、水素、フェニル、ヒドロキシエチル、又は非置換若しくは置換Ｃ１〜Ｃ８アルキルであり、あるいは−Ｎ（Ｒ１）Ｒ２は、ヘテロ環を形成し、好ましくはＲ１及びＲ２はそれぞれ独立して、水素又はフェニルから選択され、あるいは−Ｎ（Ｒ１）Ｒ２は非置換又は置換モルホリン環を形成し）；かつ、Ｍは水素又はカチオンであり、好ましくはＭはナトリウム又はカリウムであり、より好ましくはＭはナトリウムである。
【０１４６】
一部の例では、蛍光増白剤は、ジナトリウム４，４’−ビス｛［４−アニリノ−６−モルホリノ−ｓ−トリアジン−２−イル］−アミノ｝−２，２’−スチルベンジスルホネート（増白剤１５、商品名Ｔｉｎｏｐａｌ  ＡＭＳ−ＧＸとしてＣｉｂａ  Ｇｅｉｇｙ社から市販のもの）、ジナトリウム４，４’−ビス｛［４−アニリノ−６−（Ｎ−２−ビス−ヒドロキシエチル）−ｓ−トリアジン−２−イル］−アミノ｝−２，２’−スチルベンジスルホネート（商品名Ｔｉｎｏｐａｌ  ＵＮＰＡ−ＧＸとしてＣｉｂａ  Ｇｅｉｇｙ社から市販のもの）、ジナトリウム４，４’−ビス｛［４−アニリノ−６−（Ｎ−２−ヒドロキシエチル−Ｎ−メチルアミノ）−ｓ−トリアジン−２−イル］−アミノ｝−２，２’−スチルベンジスルホネート（商品名Ｔｉｎｏｐａｌ  ５ＢＭ−ＧＸとしてＣｉｂａ  Ｇｅｉｇｙ社から市販のもの）からなる群から選択される。より好ましくは、蛍光増白剤は、ジナトリウム４，４’−ビス｛［４−アニリノ−６−モルホリノ−ｓ−トリアジン−２−イル］−アミノ｝−２，２’−スチルベンジスルホネートである。
【０１４７】
増白剤は、粒子の形で又は好適な溶剤、例えば非イオン性界面活性剤、モノエタノールアミン、プロパンジオールとのプレミックスとして添加されてもよい。
【０１４８】
布地色相剤
組成物は、布地色調剤（色合い剤、青味剤、又は白化剤と称される場合もある）を含み得る。典型的には、色相剤は布地に青又は紫の色合いをもたらす。色相剤は、単独又は組み合わせで使用して、特定の色合いを作り出すことができ、かつ／又は異なる種類の布地に色合いをつけることができる。これは、例えば赤と緑−青の染料とを混合して青又は紫の色合いを生じさせることにより提供され得る。色相剤は、任意の既知の化学分類の染料から選択されてよく、これらは、アクリジン、アントラキノン（多環式キノンを含む）、アジン、予金属化されたアゾを含むアゾ（例えば、モノアゾ、ジアゾ、トリスアゾ、テトラキスアゾ、ポリアゾ）、ベンゾジフラン及びベンゾジフラノン、カロテノイド、クマリン、シアニン、ジアザヘミシアニン、ジフェニルメタン、ホルマザン、ヘミシアニン、インジゴイド、メタン、ナフタルイミド、ナフトキノン、ニトロ及びニトロソ、オキサジン、フタロシアニン、ピラゾール、スチルベン、スチリル、トリアリールメタン、トリフェニルメタン、キサンテン、並びにこれらの混合物を含むが、それらに限られない。
【０１４９】
好適な布地色相剤としては、染料、染料−粘土共役体、並びに有機及び無機顔料が挙げられる。好適な染料としては、小分子染料及びポリマー染料が挙げられる。好適な小分子染料としては、例えば、青、バイオレット、赤、緑、又は黒に分類され、単独で又は組み合わせで所望の色合いをもたらす、ダイレクト染料、塩基性染料、反応性染料若しくは加水分解した反応性染料、溶剤染料又は分散染料の色指数（Ｃ．Ｉ．）分類に分類される染料からなる群から選択される小分子染料が挙げられる。別の態様では、好適な小分子染料としては、カラーインデックス（染色業者及びカラーリスト協会（Ｓｏｃｉｅｔｙ  ｏｆ  Ｄｙｅｒｓ  ａｎｄ  Ｃｏｌｏｕｒｉｓｔｓ，英国、Ｂｒａｄｆｏｒｄ））番号が、ダイレクトバイオレット染料９、３５、４８、５１、６６、及び９９等、ダイレクトブルー染料１、７１、８０、及び２７９等、酸性レッド染料１７、７３、５２、８８、及び１５０等、酸性バイオレット染料１５、１７、２４、４３、４９、及び５０等、酸性ブルー染料１５、１７、２５、２９、４０、４５、７５、８０、８３、９０、及び１１３等、酸性ブラック染料１等、塩基性バイオレット染料１、３、４、１０、及び３５等、塩基性ブルー染料３、１６、２２、４７、６６、７５、及び１５９等、欧州特許第１７９４２７５号又は同第１７９４２７６号に記載されるもの等の分散又は溶剤染料、あるいは米国特許第７，２０８，４５９  Ｂ２号に開示されている染料、並びにこれらの混合物からなる群から選択される小分子染料が挙げられる。別の態様では、好適な小分子染料としては、Ｃ．Ｉ．番号が、酸性バイオレット１７、ダイレクトブルー７１、ダイレクトバイオレット５１、ダイレクトブルー１、アシッドレッド８８、アシッドレッド１５０、アシッドブルー２９、アシッドブルー１１３又はこれらの混合物からなる群から選択される小分子染料が挙げられる。
【０１５０】
好適なポリマー染料としては、例えばポリマーと色原体とを共重合してポリマーの主鎖にしたものなどの、共有結合した（共役したと呼ばれることもある）色原体を含有するポリマー（染料−ポリマー共役体）、及びこれらの混合物からなる群から選択されるポリマー染料が挙げられる。ポリマー染料としては、国際公開第ＷＯ２０１１／９８３５５号、同第ＷＯ２０１１／４７９８７号、米国特許出願公開第２０１２／０９０１０２号、国際公開第ＷＯ２０１０／１４５８８７号、同第ＷＯ２００６／０５５７８７号、及び同第ＷＯ２０１０／１４２５０３号に記載されているものが挙げられる。
【０１５１】
別の態様では、好適なポリマー染料としては、Ｍｉｌｌｉｋｅｎ社（米国サウスカロライナ州、Ｓｐａｒｔａｎｂｕｒｇ）からＬｉｑｕｉｔｉｎｔ（登録商標）の名称で市販されている布地直接着色剤、及び少なくとも１つの反応染料と、ヒドロキシル部分、第一級アミン部分、第ニ級アミン部分、チオール部分、及びこれらの混合物からなる群から選択される部分を含むポリマーからなる群から選択されるポリマーとから形成されている染料−ポリマー共役体、からなる群から選択されるポリマー染料が挙げられる。更に別の態様では、好適なポリマー染料としては、Ｌｉｑｕｉｔｉｎｔ（登録商標）バイオレットＣＴ、Ｃ．Ｉ．リアクティブブルー１９と共役しているＣＭＣなどの反応性ブルー、反応性バイオレット、又は反応性レッドの染料に共有結合しているカルボキシメチルセルロース（ＣＭＣ）（Ｍｅｇａｚｙｍｅ社（アイルランド、Ｗｉｃｋｌｏｗ）から商品名ＡＺＯ−ＣＭ−セルロース、商品コードＳ−ＡＣＭＣで販売されているもの）、アルコキシル化トリフェニール−メタンポリマー着色剤、アルコキシル化チオフェンポリマー着色料、及びこれらの混合物からなる群から選択されるポリマー染料が挙げられる。
【０１５２】
好ましい色相染料として、国際公開第ＷＯ０８／８７４９７（Ａ１）号、同第ＷＯ２０１１／０１１７９９号、及び同第ＷＯ２０１２／０５４８３５号に記載された増白剤が挙げられる。本発明で使用するのに好ましい色相剤は、国際公開第ＷＯ２０１１／０１１７９９号の表５の実施例１〜４２から選択される染料を含む、これらの参考文献に開示されている好ましい染料であってよい。他の好ましい染料は、米国特許第８，１３８，２２２号に開示されている。他の好ましい染料は国際公開第ＷＯ２００９／０６９０７７号に開示されている。
【０１５３】
好適な染料粘土共役体としては、少なくとも１つのカチオン性／塩基性染料及びスメクタイト粘土、並びにこれらの混合物を含む群から選択される染料粘土共役体が挙げられる。別の態様では、好適な染料粘土共役体としては、Ｃ．Ｉ．塩基性イエロー１〜１０８、Ｃ．Ｉ．塩基性オレンジ１〜６９、Ｃ．Ｉ．塩基性レッド１〜１１８、Ｃ．Ｉ．塩基性バイオレット１〜５１、Ｃ．Ｉ．塩基性ブルー１〜１６４、Ｃ．Ｉ．塩基性グリーン１〜１４、Ｃ．Ｉ．塩基性ブラウン１〜２３、Ｃ．Ｉ．塩基性ブラック１〜１１、からなる群から選択される１つのカチオン性／塩基性染料と、モンモリロナイト粘土、ヘクトライト粘土、サポナイト粘土、及びこれらの組み合わせからなる群から選択される粘土とからなる群から選択される染料粘土共役体が挙げられる。更に別の態様では、好適な染料粘土共役体としては、モンモリロナイト塩基性ブルーＢ７  Ｃ．Ｉ．４２５９５共役体、モンモリロナイト塩基性ブルーＢ９  Ｃ．Ｉ．５２０１５共役体、モンモリロナイト塩基性バイオレットＶ３  Ｃ．Ｉ．４２５５５共役体、モンモリロナイト塩基性グリーンＧ１  Ｃ．Ｉ．４２０４０共役体、モンモリロナイト塩基性レッドＲ１  Ｃ．Ｉ．４５１６０共役体、モンモリロナイトＣ．Ｉ．塩基性ブラック２共役体、ヘクトライト塩基性ブルーＢ７  Ｃ．Ｉ．４２５９５共役体、ヘクトライト塩基性ブルーＢ９  Ｃ．Ｉ．５２０１５共役体、ヘクトライト塩基性バイオレットＶ３  Ｃ．Ｉ．４２５５５共役体、ヘクトライト塩基性グリーンＧ１  Ｃ．Ｉ．４２０４０共役体、ヘクトライト塩基性レッドＲ１  Ｃ．Ｉ．４５１６０共役体、ヘクトライトＣ．Ｉ．塩基性ブラック２共役体、サポナイト塩基性ブルーＢ７  Ｃ．Ｉ．４２５９５共役体、サポナイト塩基性ブルーＢ９  Ｃ．Ｉ．５２０１５共役体、サポナイト塩基性バイオレットＶ３  Ｃ．Ｉ．４２５５５共役体、サポナイト塩基性グリーンＧ１  Ｃ．Ｉ．４２０４０共役体、サポナイト塩基性レッドＲ１  Ｃ．Ｉ．４５１６０共役体、サポナイトＣ．Ｉ．塩基性ブラック２共役体、及びこれらの混合物からなる群から選択される染料粘土共役体が挙げられる。
【０１５４】
好適な顔料としては、フラバントロン、インダントロン、１〜４個の塩素原子を含む塩素化インダントロン、ピラントロン、ジクロロピラントロン、モノブロモジクロロピラントロン、ジブロモジクロロピラントロン、テトラブロモピラントロン、ペリレン−３，４，９，１０−テトラカルボン酸ジイミド（そのイミド基は、非置換であっても、Ｃ１〜Ｃ３−アルキル基又はフェニル基又は複素環式基によって置換されていてもよく、そのフェニル基及び複素環式基は、水溶性を付与しない置換基を更に有してもよい）、アントラピリミジンカルボン酸アミド、ビオラントロン、イソビオラントロン、ジオキサジン顔料、１分子当たり最大２個の塩素原子を含んでよい銅フタロシアニン、１分子当たり最大１４個の臭素原子を含むポリクロロ−銅フタロシアニン又はポリブロモクロロ−銅フタロシアニン、並びにこれらの混合物からなる群から選択される顔料が挙げられる。
【０１５５】
別の態様では、好適な顔料としては、ウルトラマリンブルー（Ｃ．Ｉ．ピグメントブルー２９）、ウルトラマリンバイオレット（Ｃ．Ｉ．ピグメントバイオレット１５）、及びこれらの混合物からなる群から選択される顔料が挙げられる。
【０１５６】
上記の布地色相剤は、組み合わせて用いることができる（布地色相剤のいずれの混合物も用いることができる）。
【０１５７】
カプセル化材
組成物は、カプセル化材を含んでもよい。カプセル化材は、コアと、内面及び外面を有するシェルとを備え得るが、シェルはコアをカプセル化する。
【０１５８】
カプセル化材は、コアとシェルとを備え得るが、コアは、以下のものから選択される材料を含む：芳香剤、光沢剤、染料、防虫剤、シリコーン、ワックス、フレーバー、ビタミン、布地軟化剤、スキンケア剤（例えば、パラフィン）、酵素、抗菌剤、漂白剤、感覚剤、又はそれらの混合物、またシェルは、以下のものから選択される材料を含む：ポリエチレン、ポリアミド、ポリビニルアルコール（場合により、他のコモノマーを含有するもの）、ポリスチレン、ポリイソプレン、ポリカーボネート、ポリエステル、ポリアクリレート、ポリオレフィン、多糖類（例えば、アルギニン酸及び／又はキトサン）、ゼラチン、セラック、エポキシ樹脂、ビニルポリマー、水溶性無機物、シリコーン、アミノプラスト、又はそれらの混合物。シェルがアミノプラストを含む場合には、このアミノプラストは、ポリウレア、ポリウレタン、及び／又はポリウレアポリウレタンを含む。ポリウレアはポリオキシメチレンウレア及び／又はメラミンホルムアルデヒドを含み得る。
【０１５９】
カプセル化材は、コアを含み得るが、そのコアは芳香剤を含み得る。カプセル化材はシェルを含み得るが、そのシェルは、メラミンホルムアルデヒド及び／又は架橋メラミンホルムアルデヒドを含み得る。カプセル化材は、芳香剤を含むコアと、メラミンホルムアルデヒド及び／又は架橋メラミンホルムアルデヒドを含むシェルとを含み得る。
【０１６０】
好適なカプセル化材は、コア材とシェルとを含み得るが、シェルが少なくとも部分的にコア材を取り囲んでいる。少なくとも７５％、少なくとも８５％、又は更には少なくとも９０％の前記カプセル化材は、約０．２〜約１０ＭＰａ、約０．４〜約５ＭＰａ、約０．６〜約３．５ＭＰａ、又は更には約０．７〜約３ＭＰａの破壊強度と、０〜約３０％、０〜約２０％、又は更には０〜約５％の有益剤漏出率とを有し得る。
【０１６１】
少なくとも７５％、８５％、また更には９０％の前記カプセル化材は、約１〜約８０ミクロン、約５〜６０ミクロン、約１０〜約５０ミクロン、又は更には約１５〜約４０ミクロンの粒径を有し得る。
【０１６２】
少なくとも７５％、８５％、また更には９０％の前記カプセル化材は、約３０〜約２５０ｎｍ、約８０〜約１８０ｎｍ、また更には約１００〜約１６０ｎｍの粒子壁厚を有し得る。
【０１６３】
カプセル化材のコアは：芳香剤原料からなる群から選択される材料、及び／又は場合により、ヒマシ油、ココナッツ油、綿実油、菜種油、大豆油、トウモロコシ油、ヤシ油、亜麻仁油、ベニバナ油、オリーブ油、ピーナッツ油、ココナッツ油、パーム核油、ヒマシ油、レモン油、及びこれらの混合物を含むストレート及び／又はブレンドの植物油を含む植物油から選択される材料；植物油のエステル（エステルは、アジピン酸ジブチル、フタル酸ジブチル、アジピン酸ブチルベンジル、アジピン酸ベンジルオクチル、リン酸トリクレジル、リン酸トリオクチル及びこれらの混合物を含む）；約８０℃を超える沸点を有する直鎖又は分岐鎖炭化水素を含む、直鎖又は分岐鎖炭化水素；部分的に水素化したテルフェニル、フタル酸ジアルキル、モノイソプロピルビフェニルを含むアルキルジフェニル、ジプロピルナフタレンを含むアルキル化ナフタレン、ケロシンを含む灯油、鉱油、又はこれらの混合物；ベンゼン、トルエン、又はこれらの混合物を含む芳香族溶媒；シリコーン油；又はそれらの混合物を含む。
【０１６４】
マイクロカプセルの壁は、アルデヒドとアミンとの反応生成物などの好適な樹脂を含む。好適なアルデヒドとしてはホルムアルデヒドが挙げられる。好適なアミンとしては、メラミン、尿素、ベンゾグアナミン、グリコールウリル、又はこれらの混合物が挙げられる。好適なメラミンとしては、メチロールメラミン、メチル化メチロールメラミン、イミノメラミン及びこれらの混合物が挙げられる。好適な尿素としては、ジメチロール尿素、メチル化ジメチロール尿素、尿素−レゾルシノール、及びこれらの混合物が挙げられる。
【０１６５】
好適なホルムアルデヒドスカベンジャーは、カプセル化材とともに用いることができるが、例えば、カプセルスラリー中で用いたり、かつ／又はカプセル化材が組成物に添加される前、最中、又は後で組成物に添加したりすることが可能である。
【０１６６】
好適なカプセル剤は、Ａｐｐｌｅｔｏｎ  Ｐａｐｅｒｓ社（米国ウィスコンシン州、Ａｐｐｌｅｔｏｎ）から購入できる。
【０１６７】
また、前述のカプセル化材を製造するための材料が、以下の供給元から入手可能である：Ｓｏｌｕｔｉａ社（米国ミズーリ州、Ｓｔ．Ｌｏｕｉｓ）、Ｃｙｔｅｃ  Ｉｎｄｕｓｔｒｉｅｓ社（米国ニュージャージー州、Ｗｅｓｔ  Ｐａｔｅｒｓｏｎ）、Ｓｉｇｍａ−Ａｌｄｒｉｃｈ社（米国ミズーリ州、Ｓｔ．Ｌｏｕｉｓ）、ＣＰ  Ｋｅｌｃｏ社（米国カリフォルニア州、Ｓａｎ  Ｄｉｅｇｏ）；ＢＡＳＦ社（ドイツ、Ｌｕｄｗｉｇｓｈａｆｅｎ）；Ｒｈｏｄｉａ社（米国ニュージャージー州、Ｃｒａｎｂｕｒｙ）；Ｈｅｒｃｕｌｅｓ社（米国デラウェア州、Ｗｉｌｍｉｎｇｔｏｎ）；Ａｇｒｉｕｍ社（カナダアルバータ州、Ｃａｌｇａｒｙ）、ＩＳＰ社（米国ニュージャージー州）、Ａｋｚｏ  Ｎｏｂｅｌ社（米国イリノイ州、Ｃｈｉｃａｇｏ）；Ｓｔｒｏｅｖｅｒ  Ｓｈｅｌｌａｃ  Ｂｒｅｍｅｎ社（ドイツ、Ｂｒｅｍｅｎ）；Ｄｏｗ  Ｃｈｅｍｉｃａｌ社（米国ミシガン州、Ｍｉｄｌａｎｄ）；Ｂａｙｅｒ社（ドイツ、Ｌｅｖｅｒｋｕｓｅｎ）；Ｓｉｇｍａ−Ａｌｄｒｉｃｈ社（米国ミズーリ州、Ｓｔ．Ｌｏｕｉｓ）。
【０１６８】
芳香剤
芳香剤及び芳香剤成分が、本明細書に記載の洗剤組成物で使用され得る。芳香剤及び芳香剤成分の非限定的な例としては、アルデヒド、ケトン、エステル等が挙げられるが、これらに限定されない。他の例としては様々な天然抽出物及び天然エキスが挙げられ、これらは、オレンジ油、レモン油、バラ抽出物、ラベンダー、ムスク、パチョリ、バルサムエキス、ビャクダン油、パイン油、シーダーなどの成分の複雑な混合物を含むことができる。最終芳香剤は、そのような成分の非常に複雑な混合物を含むことができる。最終芳香剤は、洗剤組成物の約０．０１〜約２重量％の範囲の濃度で含まれ得る。
【０１６９】
移染防止剤
布地用洗剤組成物はまた、洗浄工程時にある布地から他の布地に染料が移染するのを阻止するのに効果的な１種類以上の材料を含み得る。一般に、このような移染防止剤としては、ポリビニルピロリドンポリマー、ポリアミンＮ−オキシドポリマー、Ｎ−ビニルピロリドン及びＮ−ビニルイミダゾールのコポリマー、マンガンフタロシアニン、ペルオキシダーゼ、及びこれらの混合物が挙げられ得る。このような移染防止剤を使用する場合、これらの移染防止剤は、組成物の約０．０００１〜約１０重量％、一部の例では組成物の約０．０１〜約５重量％、及び他の例では組成物の約０．０５〜約２重量％の濃度で使用され得る。
【０１７０】
キレート化剤
本明細書に記載の洗剤組成物はまた、１種類以上の金属イオンのキレート剤を含有し得る。好適な分子としては、銅、鉄、及び／又はマンガンキレート剤、並びにこれらの混合物が挙げられる。そのようなキレート剤は、ホスホネート、アミノカルボキシレート、アミノホスホネート、スクシネート、多官能置換された芳香族キレート剤、２−ピリジノール−Ｎ−オキシド化合物、ヒドロキサム酸、カルボキシメチルイヌリン及びこれらの混合物からなる群から選択することができる。キレート剤は、アルカリ金属、アンモニウム、及びその置換アンモニウム塩、及びこれらの混合物を含む、酸又は塩の形で存在することができる。
【０１７１】
本明細書での使用に好適なキレート剤は、市販のＤＥＱＵＥＳＴシリーズ、及びＭｏｎｓａｎｔｏ社、Ａｋｚｏ−Ｎｏｂｅｌ社、ＤｕＰｏｎｔ社、Ｄｏｗ社からのキレート剤、ＢＡＳＦ社及びＮａｌｃｏ社からのＴｒｉｌｏｎ（登録商標）シリーズである。
【０１７２】
キレート剤は、本開示の洗剤組成物の約０．００５〜約１５重量％、約０．０１〜約５重量％、約０．１〜約３．０重量％、約０．２〜約０．７重量％、又は約０．３〜約０．６重量％の量で、本開示の洗剤組成物中に存在し得る。
【０１７３】
抑泡剤
本明細書に記載の洗剤組成物の中に、泡の形成を低減又は抑制するための化合物を組み込むことができる。抑泡制は、米国特許第４，４８９，４５５号及び同第４，４８９，５７４号に記載されているようないわゆる「高濃度洗浄プロセス」において、そしてフロントローディング方式の洗濯機において、特に重要である可能性がある。
【０１７４】
抑泡剤として多種多様な材料を使用してもよく、抑泡剤は当業者には周知されている。例えば、Ｋｉｒｋ  Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙの第３版、第７巻、４３０〜４４７頁（Ｊｏｈｎ  Ｗｉｌｅｙ  ＆  Ｓｏｎｓ，Ｉｎｃ．刊（１９７９年））を参照されたい。抑泡剤の例としては、モノカルボン脂肪酸及びその中の可溶性塩、パラフィンなどの高分子量炭化水素、脂肪酸エステル（例えば、脂肪酸トリグリセリド）、一価アルコールの脂肪酸エステル、脂肪族Ｃ１８〜Ｃ４０ケトン（例えばステアロン）、Ｎ−アルキル化アミノトリアジン、好ましくは融点が約１００℃未満であるワックス状炭化水素、シリコーン抑泡剤、並びに第２級アルコールが挙げられる。
【０１７５】
更なる好適な発泡防止剤は、フェニルプロピルメチル置換ポリシロキサンから誘導されたものである。
【０１７６】
特定の例では、洗剤組成物は、シリコーン樹脂及び変成シリカである一次充填剤と組み合わせたアリール又はアルキルアリール置換基を付けた有機変成シリコーンポリマーから選択される抑泡剤を含む。洗剤組成物は、組成物の約０．００１〜約４．０重量％の、上記のような抑泡剤を含み得る。さらに別の例においては、洗剤組成物は、以下のものから選択される抑泡剤を含む：ａ）約８０〜約９２％のエチルメチル、メチル（２−フェニルプロピル）シロキサンと；ステアリン酸オクチル内約５〜約１４％のＭＱ樹脂と；約３〜約７％の変成シリカとの混合物；ｂ）約７８〜約９２％のエチルメチル、メチル（２−フェニルプロピル）シロキサンと；ステアリン酸オクチル内約３〜約１０％のＭＱ樹脂と；約４〜約１２％の変成シリカとの混合物；又はｃ）以上の混合物で、消泡剤に対する重量パーセントでその量を示すもの。
【０１７７】
本明細書における洗剤組成物は、組成物の０．１〜約１０重量％の抑泡剤を含み得る。抑泡剤として使用する場合、脂肪族モノカルボン酸、及びその塩は、洗剤組成物の最大約５重量％、一部の例では、組成物の約０．５〜約３重量％の量で存在し得る。シリコーン抑泡剤は、より多い量を使用することもできるが、最大で、洗剤組成物の約２．０重量％までの量で使用され得る。モノステアリルホスフェート抑泡剤は、洗剤組成物の約０．１〜約２重量％の範囲の量で使用され得る。炭化水素抑泡剤は、より多い量を使用することもできるが、洗剤組成物の約０．０１〜約５．０重量％の範囲の量で使用され得る。アルコール抑泡剤は、洗剤組成物の約０．２〜約３重量％の範囲の濃度で使用され得る。
【０１７８】
増泡剤
高起泡が望まれる場合、Ｃ１０〜Ｃ１６のアルカノールアミドなどの起泡促進剤を、例えば、洗剤組成物の約１〜約１０重量％の範囲の濃度で、洗剤組成物に組み込んでもよい。一部の例としてはＣ１０〜Ｃ１４のモノエタノール及びジエタノールアミドが挙げられる。所望の場合、ＭｇＣｌ２、ＭｇＳＯ４、ＣａＣｌ２、ＣａＳＯ４等の水溶性マグネシウム及び／又はカルシウム塩を、例えば、洗剤組成物の約０．１〜約２重量％の濃度で加えて、追加の泡をもたらし、油脂除去性能を増強させてもよい。
【０１７９】
コンディショニング剤
本発明の組成物は、高融点脂肪族化合物を含み得る。本明細書において有用な高融点脂肪族化合物は、２５℃以上の融点を有し、脂肪族アルコール、脂肪酸、脂肪族アルコール誘導体、脂肪酸誘導体、及びこれらの混合物からなる群から選択される。低融点の脂肪族化合物類は、本セクションには含まれないものとする。高融点脂肪族化合物の非限定的な例は、Ｉｎｔｅｒｎａｔｉｏｎａｌ  Ｃｏｓｍｅｔｉｃ  Ｉｎｇｒｅｄｉｅｎｔ  Ｄｉｃｔｉｏｎａｒｙ、第５版（１９９３年）、及びＣＴＦＡ  Ｃｏｓｍｅｔｉｃ  Ｉｎｇｒｅｄｉｅｎｔ  Ｈａｎｄｂｏｏｋ、第２版（１９９２年）に見出される。
【０１８０】
高融点脂肪族化合物は、組成物の約０．１〜約４０重量％、好ましくは約１〜約３０重量％、より好ましくは約１．５〜約１６重量％、約１．５〜約８重量％、の濃度で組成物に含有される。
【０１８１】
本発明の組成物は、非イオン性ポリマーをコンディショニング剤として含み得る。
【０１８２】
本発明の組成物に使用するのに好適なコンディショニング剤としては、一般にシリコーン（例えば、シリコーンオイル、カチオン性シリコーン、シリコーンガム、屈折率の高いシリコーン、及びシリコーン樹脂）、有機コンディショニングオイル（例えば、炭化水素油、ポリオレフィン、及び脂肪酸エステル）、若しくはこれらの組み合わせとして特徴付けられるコンディショニング剤、又は本明細書の水性界面活性剤マトリックス中に液状の分散粒子を形成するその他のコンディショニング剤である。シリコーンコンディショニング剤の濃度は、典型的には、約０．０１〜約１０％の範囲に及ぶ。
【０１８３】
本発明の組成物はまた、コンディショニング剤として、単独で又はシリコーン（本願に記載される）のような他のコンディショニング剤と組み合わせて、約０．０５〜約３％の少なくとも１つの有機コンディショニングオイルを含み得る。好適なコンディショニングオイルとしては、炭化水素油、ポリオレフィン、及び脂肪酸エステルが挙げられる。
【０１８４】
布地改良ポリマー
好適な布地改良ポリマーは、典型的には、カチオン性に帯電し、かつ／又は高分子量を有する。
【０１８５】
この成分の好適な濃度は、組成物の０．０１〜５０％、好ましくは０．１〜１５％、より好ましくは０．２〜５．０％、及び最も好ましくは０．５〜３．０％の範囲内である。布地改良ポリマーは、ホモポリマーであってもよく、又は２種類以上のモノマーから形成してもよい。ポリマーのモノマー重量（monomer weight）は一般に、５，０００〜１０，０００，０００の間、典型的には少なくとも１０，０００、好ましくは１００，０００〜２，０００，０００の範囲にあるであろう。好ましい布地改良ポリマーは、組成物の意図される用途のｐＨ（通常、ｐＨ３〜ｐＨ９、好ましくはｐＨ４〜ｐＨ８の範囲）において、少なくとも約０．２ｍｅｑ／ｇｍ、好ましくは少なくとも０．２５ｍｅｑ／ｇｍ、より好ましくは少なくとも０．３ｍｅｑ／ｇｍのカチオン電荷密度を有するが、更に、好ましくは５ｍｅｑ／ｇｍ未満、より好ましくは３ｍｅｑ／ｇｍ未満、及び最も好ましくは２ｍｅｑ／ｇｍ未満のカチオン電荷密度を有する。
【０１８６】
布地改良ポリマーは、天然又は合成由来のものであってもよい。好ましい布地改良ポリマーは、置換及び無置換のポリ第四級アンモニウム化合物、カチオン性修飾多糖類、カチオン性修飾（メタ）アクリルアミドポリマー／コポリマー、カチオン性修飾（メタ）アクリレートポリマー／コポリマー、キトサン、第四級化ビニルイミダゾールポリマー／コポリマー、ジメチルジアリルアンモニウムポリマー／コポリマー、ポリエチレンイミン系ポリマー、カチオン性グアーガム、及びこれらの誘導体、並びにこれらの組み合わせからなる群から選択され得る。
【０１８７】
本発明の組成物に用いるために好適な他の布地改良ポリマーには、例えば以下のものが挙げられる：ａ）１−ビニル−２−ピロリジンと、１−ビニル−３−メチル−イミダゾリウム塩（例えば、塩化物塩）とのコポリマーであって、業界では、Ｃｏｓｍｅｔｉｃ，Ｔｏｉｌｅｔｒｙ，ａｎｄ  Ｆｒａｇｒａｎｃｅ  Ａｓｓｏｃｉａｔｉｏｎ（ＣＴＦＡ）によって、ポリクォータニウム−１６と呼ばれるもの；ｂ）１−ビニル−２−ピロリジンと、ジメチルアミノエチルメタクリレートとのコポリマーであって、業界では（ＣＴＦＡによって）、ポリクォータニウム−１１と呼ばれるもの；ｃ）例えば、ジメチルジアリルアンモニウムクロリドホモポリマー、及びアクリルアミドとジメチルジアリルアンモニウムクロリドとのコポリマーであって、業界では（ＣＴＦＡにより）それぞれ、ポリクォータニウム６及びポリクォータニウム７と呼ばれるものを含む、カチオン性ジアリル四級アンモニウム含有ポリマー；ｄ）３〜５個の炭素原子を有する不飽和カルボン酸のホモポリマー及びコポリマーの、アミノ−アルキルエステルのミネラル酸の塩であって、米国特許第４，００９，２５６号に記載のもの；並びに、ｅ）アクリル酸とジメチルジアリルアンモニウムクロリドとのコポリマー（業界ではＣＴＦＡによりポリクォータニウム２２と呼ばれるもの）、ジメチルジアリルアンモニウムクロリドとアクリルアミドとのアクリル酸のターポリマー（業界ではＣＴＦＡによりポリクォータニウム３９と呼ばれるもの）、及びメタクリルアミドプロピルトリメチルアンモニウムクロリドとメチルアクリレートとのアクリル酸のターポリマー（業界ではＣＴＦＡによりポリクォータニウム４７と呼ばれるもの）を含む、アクリル酸の両性コポリマー。
【０１８８】
本発明の組成物において好適な他の布地改良ポリマーには、カチオン性多糖類ポリマー、例えばカチオン性セルロース及びその誘導体、カチオン性デンプン及びその誘導体、並びにカチオン性グアーガム及びその誘導体が挙げられる。他の好適なカチオン性多糖類ポリマーとしては、第四級窒素含有セルロースエーテル、及びエーテル化セルロースとデンプンとのコポリマー挙げられる。
【０１８９】
用いることが可能な、特に好適なタイプのカチオン性多糖類ポリマーは、カチオン性グアーガム誘導体であり、例えば、カチオン性ポリガラクトマンナンガム誘導体等である。
【０１９０】
真珠光沢剤
本発明の洗濯洗剤組成物は真珠光沢剤を含み得る。真珠光沢剤の非限定的な例としては以下が挙げられる：雲母；二酸化チタンコーティングをした雲母；ビスマスオキシクロリド；魚のうろこ；次式のアルキレングリコールのモノエステル及びジエステル：
【０１９１】
【化１５】
2017529438.tif 000016
（式中：
ａ．Ｒ１は、直鎖状又は分岐鎖状Ｃ１２〜Ｃ２２アルキル基であり；
ｂ．Ｒは、直鎖状又は分岐状Ｃ２〜Ｃ４アルキレン基であり；
ｃ．ＰはＨ、Ｃ１〜Ｃ４アルキル、又は−ＣＯＲ２から選択され；かつ、
ｄ．ｎ＝１〜３である。
【０１９２】
真珠光沢剤は、エチレングリコールジステアレート（ＥＧＤＳ）であり得る。
【０１９３】
衛生及び悪臭
本発明の組成物はまた、１種類以上のリシノール酸亜鉛、チモール、Ｂａｒｄａｃ（登録商標）のような四級アンモニウム塩、ポリエチレンイミン（例えば、ＢＡＳＦ社製のＬｕｐａｓｏｌ（登録商標））及びその亜鉛錯体、銀及び銀化合物であって、特に、Ａｇ＋又はナノ銀分散体をゆっくりと放出するように設計されたものをも含み得る。
【０１９４】
充填剤及び担体
充填剤及び担体が、本明細書に記載の洗剤組成物で使用され得る。本明細書において使用する場合、用語「充填剤」及び「担体」は、同じ意味を有し、互換的に使用できる。
【０１９５】
液体洗剤組成物、及び液体成分を含む洗剤組成物の他の形（例えば、液体含有単位用量洗剤組成物）は、水及び他の溶媒を充填剤又は担体として含有し得る。好適な溶剤としては、シロキサン、他のシリコーン、炭化水素、グリコールエーテル、グリセリンエーテルなどのグリセリン誘導体、ペルフッ素化アミン、ペルフッ素化及びヒドロフルオロエーテル溶剤、低揮発性非フッ素化有機溶剤、ジオール溶剤、及びこれらの混合物を含む、親油性流体も挙げられる。
【０１９６】
メタノール、エタノール、プロパノール、及びイソプロパノールに代表される低分子量の一級又は二級アルコールが好適である。一部の例では、一価アルコールは、界面活性剤を可溶化するために使用されてもよく、２〜約６個の炭素原子と２〜約６個のヒドロキシ基を含有するものなどのポリオール（例えば、１，３−プロパンジオール、エチレングリコール、グリセリン、及び１，２−プロパンジオール）もまた使用され得る。モノエタノールアミン、ジエタノールアミン、及びトリエタノールアミンなどのアミン含有溶剤も使用されてもよい。
【０１９７】
洗剤組成物は、組成物の約５〜約９０重量％、及び一部の実施例では、約１０〜約５０重量％の、上のような担体を含有し得る。コンパクト又はスーパーコンパクト重質液体又はその他の形の洗剤組成物の場合、水の使用は、遊離水として、組成物の約４０重量％未満、又は約２０重量％未満、又は約５％重量未満、又は約４重量％未満、又は約３重量％未満、又は約２重量％未満であってよく、あるいは遊離水を実質的に含まなくともよい（すなわち、無水）。
【０１９８】
粉末又はバーの洗剤浄組成物、又は固体又は粉末成分を含む形（例えば、粉末含有単位用量洗剤組成物）に対して、好適な充填剤としては、硫酸ナトリウム、塩化ナトリウム、粘土、又は他の不活性固体成分が挙げられるが、これらに限定されない。充填剤は、また、バイオマス又は脱色バイオマスを含み得る。顆粒、バー、又は他の固体洗剤組成物中の充填剤は、洗剤組成物の重量の約８０％未満、及び一部の実施例では、５０％未満を占めてもよい。コンパクト又はスーパーコンパクト粉末又は固体洗剤組成物は、洗剤組成物の約４０重量％未満、約２０重量％未満、又は約１０重量％未満の充填剤を含み得る。
【０１９９】
コンパクト又はスーパーコンパクトの液体若しくは粉末の洗剤組成物のいずれか、又は他の形の洗剤組成物の場合、製品中の液体又は固体充填剤の濃度が低減されて、その結果、コンパクト化されていない洗浄組成物と比較して同量の活性化学物質が洗浄液に送達されるか、又は、一部の実施例では洗剤組成物がより効率的であってその結果、コンパクト化されていない組成物と比較してより少量の活性化学物質が送達される。例えば、洗浄液は、洗浄液中の洗剤組成物の濃度が０〜約６ｇ／Ｌ超となるような量で、洗剤組成物を水と接触させることにより形成されてもよい。一部の例では、濃度は、約０．５〜約５ｇ／Ｌ、０．５〜約３．０ｇ／Ｌ、０．５〜約２．５ｇ／Ｌ、０．５〜約２．０ｇ／Ｌ、若しくは０．５〜約１．５ｇ／Ｌ、又は約０〜約１．０ｇ／Ｌ、若しくは約０〜約０．５ｇ／Ｌであり得る。これらの投与量は限定を意図するものではなく、その他の投与量を使用することもできることは当業者には明白である。
【０２００】
緩衝系
本明細書に記載の洗剤組成物は、水性洗浄操作での使用時に、洗浄水が約７．０〜約１２、及び一部の実施例では約７．０〜１１の間のｐＨを有するように配合され得る。推奨される使用レベルでｐＨを調節する技術としては、緩衝剤、アルカリ、酸などの使用が挙げられ、これらは当業者には周知である。これらの技術としては、炭酸ナトリウム、クエン酸、若しくはクエン酸ナトリウム、乳酸若しくは乳酸塩、モノエタノールアミン若しくは他のアミン、ホウ酸若しくはホウ酸塩、及び当該技術分野において既知の他のｐＨ調整化合物の使用が挙げられるが、これらに限定されない。
【０２０１】
本明細書中の洗剤組成物は、動的なインウオッシュｐＨプロフィールを有する。そのような洗剤組成物は、ワックスで被覆されたクエン酸粒子を、他のｐＨ制御剤とともに使用し得るが、その結果、（ｉ）水と接触して約３分後では、洗浄液のｐＨは１０より大きく；（ｉｉ）水と接触して約１０分後には、洗浄液のｐＨは、９．５より低くなり；（ｉｉｉ）水と接触して約２０分後には、洗浄液のｐＨは、９．０より低くなり；かつ（ｉｖ）場合により、洗浄液の均衡ｐＨは、約７．０〜約８．５の範囲内である。
【０２０２】
触媒金属錯体
洗剤組成物は、触媒金属錯体を含み得る。金属含有漂白触媒の１つの種類は、銅、鉄、チタン、ルテニウム、タングステン、モリブデン、又はマンガンのカチオン等の規定の漂白触媒活性の遷移金属カチオン、亜鉛又はアルミニウムのカチオン等の漂白触媒活性を殆ど又は全く有しない補助金属カチオン、並びに触媒金属及び補助金属のカチオンに対して規定の安定性定数を有する金属イオン封鎖剤、特にエチレンジアミン四酢酸、エチレンジアミンテトラ（メチレンホスホン酸）及びこれらの水溶性塩を含む触媒系である。
【０２０３】
水溶性フィルム
本発明の組成物は、また、水溶性フィルム内にカプセル化されてもよい。好ましいフィルム材料は、好ましくは高分子材料である。フィルム材料は、当該技術分野において既知であるように、例えば、ポリマー材料のキャスティング、吹込成形、押出成形、又は吹込押出成形により得ることができる。
【０２０４】
パウチ材料としての使用に好適な好ましいポリマー、コポリマー又はそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを含むポリサッカライド、キサンタン及びカラゴムなどの天然ゴムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択し、最も好ましくは、ポリビニルアルコール、ポリビニルアルコールコポリマー、及びヒドロキシプロピルメチルセルロース（ＨＰＭＣ）、並びにこれらを組み合わせたものから選択する。好ましくは、パウチ材料中のポリマーの濃度、例えば、ＰＶＡポリマーの濃度は、少なくとも６０％である。ポリマーは、任意の重量平均分子量を有してもよく、好ましくは、約１０００〜１，０００，０００、より好ましくは、約１０，０００〜３００，０００、更により好ましくは、約２０，０００〜１５０，０００である。複数種類のポリマーの混合物も、パウチ材料として使用することができる。
【０２０５】
当然のことながら、異なるフィルム材料及び／又は異なる厚さのフィルムも、また、本発明のコンパートメントの作製に選択されてもよい。異なるフィルムを選択する利点は、その結果得られるコンパートメントが異なる溶解性、すなわち放出特性を呈し得ることである。
【０２０６】
好適なフィルムの材料は、ＭｏｎｏＳｏｌ社の商品番号Ｍ８６３０、Ｍ８９００、Ｈ８７７９で知られているＰＶＡフィルムと、それらに対応する溶解度及び変形特性を有するＰＶＡフィルムである。更なる好ましいフィルムは、米国特許出願公開第２００６／０２１３８０１号、国際特許出願公開第ＷＯ２０１０／１１９０２２号、米国特許出願公開第２０１１／０１８８７８４号、及び米国特許第６７８７５１２号に記載されているものである。
【０２０７】
また、本明細書のフィルム材料には、１つ以上の添加剤成分を含有させてもよい。例えば、グリセロール、エチレングリコール、ジエチレングリコール、プロピレングリコール、ソルビトール、及びこれらの混合物などの可塑剤の添加が有益な場合がある。他の添加剤としては、洗浄水に送達される機能性洗剤添加剤、例えば有機ポリマー分散剤などが挙げられる。
【０２０８】
フィルムは水に対して可溶性又は分散性のものであるが、好ましくは、少なくとも５０％の、好ましくは少なくとも７５％の、また更には少なくとも９５％の水溶性を有するが、その値は、２０ミクロンの最大孔径２０を有するガラスフィルターを用いた後で、以下に示す方法で測定する：５０ｇ±０．１ｇのフィルム材料を、あらかじめ重さを計った４００ｍｌビーカーに加え、２４５ｍｌ＊１ｍｌの蒸留水を加える。これを、６００ｒｐｍに設定した磁気撹拌器上で３０分間、激しく撹拌する。その後、混合物を、上記で定義した孔径（最大２０ミクロン）の折り畳んだ定性分析用焼結ガラスフィルターで濾過する。回収した濾液から任意の従来の方法によって水を乾燥させ、残った材料の重量を測定する（これが溶解又は分散画分である）。その後、溶解度（％）又は分散度（％）を計算することができる。
【０２０９】
フィルムは、嫌悪剤、例えば苦味剤を含み得る。好適な苦味剤には、ナリンジン、オクタアセチルスクロース、塩酸キニーネ、安息香酸デナトニウム、又はそれらの混合物が含まれるが、それらに限られない。フィルム内では、任意の好適な濃度で、嫌悪剤を用い得る。好適な濃度には、１〜５０００ｐｐｍ、また更には１００〜２５００ｐｐｍ、また更には２５０〜２０００ｐｐｍが挙げられるが、それらに限られない。
【０２１０】
フィルムは、印刷エリアを備え得る。印刷エリアは、フィルム全体又はフィルムの一部をカバーし得る。印刷エリアは、単一の色を有していても、あるいは複数の色を有していてもよく、更には３色の色を有していてもよい。印刷エリアは、白色、黒色、及び赤色を有し得る。印刷エリアは、顔料、染料、青味付け剤、又はそれらの混合物を含み得る。印刷は、フィルム表面上の層として存在してもよく、又は少なくとも部分的に、フィルム内部に浸透してもよい。
【０２１１】
他の補助剤成分
多種多様な他の成分を本明細書の洗剤組成物に用いることができるが、それらには、他の活性成分、担体、ヒドロトロープ、加工助剤、染料又は顔料、液体製剤用溶剤、及び固体又はその他の液体充填剤、エリスロシン、コロイドシリカ、ワックス、プロバイオティクス、サーファクチン、アミノセルロースポリマー、リシノール酸亜鉛、芳香剤マイクロカプセル、ラムノリピッド、ソホロリピッド、グリコペプチド、メチルエステルスルホネート、メチルエステルエトキシレート、スルホネート化エストリッド、劈開性界面活性剤、バイオポリマー、シリコーン、変成シリコーン、アミノシリコーン、沈殿助剤、ローカストビーンガム、カチオン性ヒドロキシエチルセルロースポリマー、カチオン性グアー、ヒドロとロープ（特に、スルホン酸クメン塩、スルホン酸トルエン塩、スルホン酸キシレン塩、及びナフタレン塩）、抗酸化剤、ＢＨＴ、ＰＶＡ粒子カプセル化染料又は芳香剤、真珠光沢剤、発泡剤、変色系、シリコーンポリウレタン、乳白剤、錠剤崩壊剤、バイオマス充填剤、速乾シリコーン、ジステアリン酸グリコール、ヒドロキシエチルセルロースポリマー、疎水性変成セルロースポリマー又はヒドロキシエチルセルロースポリマー、デンプン芳香剤カプセル化材、乳化油、ビスフェノール抗酸化剤、マイクロ繊維性セルロース構造化材、プロパフューム、スチレン／アクリレートポリマー、トリアジン、石鹸、スーパーオキサイドディスムターゼ、ベンゾフェノンプロテアーゼ阻害剤、官能化二酸化チタン、ジブチルホスフェート、シリカ芳香剤カプセル、及びその他の補助成分、ケイ酸塩（例えば、ケイ酸ナトリウム、ケイ酸カリウム）、コリンオキシダーゼ、ペクチン酸リアーゼ、雲母、二酸化チタンコートした雲母、オキシ塩化ビスマス、並びにその他の添加剤が挙げられる。
【０２１２】
本明細書に記載の洗剤組成物は、また、ビタミン及びアミノ酸、例えば水溶性ビタミン及びそれらの誘導体、水溶性アミノ酸並びにそれらの塩及び／又は誘導体、水不溶性アミノ酸粘度調整剤、染料、不揮発性溶媒又は希釈剤（水溶性及び水不溶性）、真珠光沢助剤、泡促進剤、追加的な界面活性剤又は非イオン性補助界面活性剤、殺シラミ剤、ｐＨ調整剤、芳香剤、防腐剤、キレート剤、タンパク質、皮膚活性剤、日焼け止め、ＵＶ吸収剤、ビタミン、ナイアシンアミド、カフェイン、及びミノキシジルを含有してもよい。
【０２１３】
本明細書に記載の洗剤組成物は、また、ニトロソ、モノアゾ、ジスアゾ（disazo）、カロチノイド、トリフェニルメタン、トリアリールメタン、キサンテン、キノリン、オキサジン、アジン、アントラキノン、インジゴイド、チオンインジゴイド、キナクリドン、フタロシアニン、Ｃ．Ｉ．名を有するものなどの水溶性成分を包含する植物、及び天然の色などの色素材料を含有し得る。本発明の洗剤組成物はまた、抗菌剤を含有し得る。
【０２１４】
洗浄組成物の製造方法
本開示洗浄組成物は、例えばバッチ工程又は連続的なループ工程のような、当業者に既知の従来の方法により調製され得る。本発明の洗浄組成物は、任意の好適な形態に製剤することが可能であり、かつ製剤者により選択された任意の工程により調製することが可能である。
【０２１５】
単位用量物品の製造方法
単位用量物品又は分包の製造方法は、連続的なものであっても、断続的なものであってもよい。その方法は、以下の一般的なステップを含む：好ましくは水溶性フィルムを成形型内に形成して開放状態の分包を形成することによって、開放状態の分包を形成すること；その開放状態の分包を、組成物で満たすこと；組成物で満たされた開放状態の分包を、好ましくは第２の水溶性フィルムを用いて閉じて、単位用量物品を形成すること。第２のフィルムもまた、コンパートメントを備え得るが、それらは組成物を含んでいても、いなくてもよい。あるいは、第２のフィルムは、１つ以上のコンパートメントを含む第２の閉じた分包であってよく、開放状態の分包を閉じるために用いられるものであってよい。工程は、単位用量物品のウェブが製造され、そのウェブが次に切断されて、個々の単位用量物品が形成されるものであってよい。
【０２１６】
あるいは、第１のフィルムが、２つ以上のコンパートメントを含む開放状態の分包に形成される場合もある。その場合には、第１の分包から形成される複数のコンパートメントは、互いに横に並んでいても、「タイヤとリム」のような配置になっていてもよい。第２のフィルムもまた、コンパートメントを備え得るが、それらは組成物を含んでいても、いなくてもよい。あるいは、第２のフィルムは、複数のコンパートメントを有する開放状態の分包を閉じるために用いられる、第２の閉じた分包であってよい。
【０２１７】
単位用量物品は、熱形成、真空形成、又はそれらを組み合わせたものによって製造され得る。単位用量物品は、当該技術分野において既知の、任意の封止方法を用いて封止され得る。好適な封止方法には、熱封止、溶剤封止、圧力封止、超音波封止、圧力封止、レーザー封止、又はそれらを組み合わせたものが挙げられる。
【０２１８】
単位用量物品は、打ち粉剤により、打ち粉処理を施してもよい。打ち粉剤は、滑石、シリカ、ゼオライト、タンサン、又はそれらの混合物であり得る。
【０２１９】
本発明の単位用量物品を製造する代用的な手段は、先行する請求項のいずれかによる物品を製造するための連続的な工程であり、以下のステップを含む：
ａ．連続的かつ回転的に動き、複数の成形型を備える無端面の水平部分上に、第１の水溶性フィルムを連続的にフィードするか、又はそのような無端面の非水平部分上にフィードし、連続的に水平部分にフィルムを動かすステップ；
ｂ．連続的に動く面の水平部分上のフィルムから、面上の成形型内に、連続的に動き水平に配置された、開放状態の分包のウェブを形成するステップ；
ｃ．連続的に動き水平に配置された開放状態の分包のウェブを製品で満たして、水平に配置された開放状態の充填された分包を得るステップ；
ｄ．好ましくは連続的に、開放状態の分包を閉じて、閉止された分包を得るステップであり、好ましくは、開放状態の充填された分包の、水平状態に配置されたウェブ上に、第２の水溶性フィルムをフィードすることにより、閉止された分包を得るステップ；及び、
ｅ．場合により、閉止された分包を封止して、閉止された分包のウェブを得るステップ。
【０２２０】
第２の水溶性フィルムは、少なくとも１つの、開放状態又は閉止状態のコンパートメントを含み得る。１つの実施形態においては、開放状態の分包の第１のウェブが、閉止状態の分包の第２のウェブと組み合わされるが、その際、好ましくは、好適な手段により、第１のウェブと第２のウェブとを引き合わせて封止し、かつ好ましくは、第２のウェブは回転ドラム装置である。そのような装置においては、分包はドラムの頂部で充填され、好ましくは、その後一層のフィルムにより封止され、閉止された分包は、好ましくは開放状態の分包であり、また好ましくは水平な形成面上に形成された分包の第１のウェブに出会うように降りてくるようになっている。回転ドラムユニットを、水平な形成面ユニット上に配置することが特に好適であるということが判明している。
【０２２１】
好ましくは、得られた閉止状態の分包のウェブが切断されて、個々の単位用量物品が生産される。
【０２２２】
単位用量物品は、印刷エリアを有し得る。印刷エリアは、単位用量物品の外面上に存在していても、あるいはフィルムの内面（すなわち、液体の洗濯洗剤組成物と接触する面）上に存在していてもよい。あるいは、印刷エリアは、単位用量物品の外面と内面と両方に存在してよい。
【０２２３】
単位用量物品は、少なくとも２枚のフィルム、また更には少なくとも３枚のフィルムを含み得るが、それらのフィルムは一つに封止されている。印刷エリアは、１枚のフィルム上に存在しても、１枚より多くのフィルム、例えば、２枚のフィルム、また更には３枚のフィルム上に存在してもよい。
【０２２４】
印刷エリアは、例えばフレキソ印刷又はインクジェット印刷のような、標準的な技法を用いて実現され得る。好ましくは、印刷エリアは、フィルムに印刷がされるフレキソ印刷により実現され、次に、上に説明したステップａ〜ｅにより、印刷済みのフィルムが単位用量物品に型成形される。印刷は、単位用量物品の内面又は外面上になされてよい。
【０２２５】
当業者ならば、本発明による単位用量物品を製造するために必要な成形型の適切なサイズを認識できるであろう。
【０２２６】
単位用量物品は、嫌悪剤を含み得る。
【０２２７】
単位用量物品が１Ｌのビーカー内の２０〜２１℃の脱イオン水９５０ｍｌ（なお、５ｃｍの磁気式撹拌棒により、３５０ｒｐｍで水は撹拌されている）中に加えられてから１０秒〜５分で、単位用量物品が破れるようになっていてよい。「破れる」というのは、ここでは、フィルムが目に見える形で壊れるか、裂けることを意味する。フィルムが壊れ又は裂けて間もなく、内部の液体洗剤組成物が、単位用量物品を出て周囲の水に入って行くのが見られるであろう。
【０２２８】
使用方法
本発明は、汚れ物を洗浄する方法を含む。当業者には理解されるように、本発明の洗剤組成物は、洗濯前処理用途、洗濯洗浄用途、及びホームケア用途における使用に適している。
【０２２９】
そのような方法は、洗剤組成物をそのままの形又は洗浄液中で希釈して、汚れた材料の少なくとも一部分と接触させるステップと、次いで場合により汚れた材料をすすぐステップとを含むが、これに限定されない。汚れた材料は、場合により実施されるすすぎのステップの前に洗浄ステップにかけられてもよい。
【０２３０】
洗濯前処理用途での使用の場合には、本方法は、本明細書に記載の洗剤組成物を汚れた布地と接触させることを含んでもよい。前処理の後、汚れた布地は洗濯機で洗濯されても、そうでなければ、すすぎにかけられてもよい。
【０２３１】
機械洗濯の方法は、有効量の、本明細書の機械洗濯洗剤組成物を溶解又は分散させた洗濯機中で、汚れた洗濯物を水性の洗浄溶液で処理することを含み得る。「有効量」の洗剤組成物とは、約５〜約６５Ｌの体積の洗浄溶液中に溶解又は分散された約２０〜約３００ｇの製品を意味する。水温は、約５℃〜約１００℃の範囲であってよい。水の汚れた材料（例えば、布地）に対する比率は、約１：１〜約３０：１であってよい。組成物は、溶液中に約５００〜約１５，０００ｐｐｍの濃度で使用されてよい。布地洗濯組成物の文脈において、使用濃度は、また、汚れ及びしみのタイプ及び程度によるだけでなく、洗浄水の温度、洗浄水の体積、及び洗濯機のタイプ（例えば、上側投入式、前側投入式、上側投入式で垂直軸型の日本タイプ自動洗濯機）にもよって、様々であってよい。
【０２３２】
本明細書における洗剤組成物は、低い洗浄温度で布地を洗濯するために使用されてもよい。布地を洗濯するこれらの方法は、洗剤洗浄組成物を水に送達して、洗浄液を形成するステップと、洗濯する布地を前記洗浄液に添加するステップとを含み、洗浄液が約０〜約２０℃、又は約０〜約１５℃、又は約０〜約９℃の温度を有する。布地は、洗濯洗剤組成物を水に接触させる前、又は後、又は同時に、水と接触させてよい。
【０２３３】
他の方法は、洗剤組成物を含浸させた不織布基材を、汚れた材料に接触させることを含む。本明細書で使用するとき、「不織布基材」は、好適な坪量、キャリパー（厚さ）、吸収性及び強度特性を有する、任意の従来型の不織布シート又はウェブを含むことができる。好適な市販の不織布基材の非限定的な例としては、Ｄｕ  Ｐｏｎｔ社より商品名ＳＯＮＴＡＲＡ（登録商標）として販売されているもの、及びＪａｍｅｓ  Ｒｉｖｅｒ社より商品名ＰＯＬＹＷＥＢ（登録商標）として販売されているものが挙げられる。
【０２３４】
手洗い／浸け置き洗い、及び半自動式洗濯機と手洗いを組み合わせたものもまた含まれる。
【０２３５】
機械式食器洗浄方法
汚れた皿、食卓用食器、銀製食器、又は他のキッチン用品の機械式洗浄方法又は手洗い方法が含まれる。機械式食器洗いの１つの方法は、汚れた皿、食卓用食器、銀製食器、及び他のキッチン用品を、有効量の、本発明による機械式食器洗い用組成物を溶解又は分散した水性液体で処理することを含む。「有効量」の機械洗浄組成物とは、約３Ｌ〜約１０Ｌの容積の洗浄溶液中に溶解又は分散させた約８ｇ〜約６０ｇの生成物を意味する。
【０２３６】
食器を手洗いする１つの方法は、水を入れた容器の中に洗剤組成物を溶解すること、続いて汚れた皿、食卓用食器、銀製食器、又は他のキッチン用品を皿洗い液と接触させること、次いで汚れた皿、食卓用食器、銀製食器、又は他のキッチン用品を手でこすり洗いすること、拭くこと、又はすすぐことを含む。食器を手洗いするもう１つの方法は、汚れた皿、食卓用食器、銀製食器、又は他のキッチン用品上に、洗剤組成物を直接に塗布すること、次いで汚れた皿、食卓用食器、銀製食器、又は他のキッチン用品を手でこすり洗いすること、拭くこと、又はすすぐことを含む。一部の例では、皿を手洗いする場合、有効量の洗浄組成物は、水中に希釈した約０．５〜約２０ｍＬである。
【０２３７】
組成物のためのパッケージ化
本明細書に記載の洗剤組成物は、紙、厚紙、プラスチック材料、及び任意の好適な積層薄板から製造されるものを含む、任意の好適な容器中に包装することができる。
【０２３８】
多コンパートメント分包添加剤
本明細書に記載の洗剤組成物はまた、多コンパートメント洗剤組成物として包装されることもできる。
【実施例】
【０２３９】
以下の例では、洗浄組成物内の個々の成分の量は、特記しない限り、洗浄組成物の重量に対するパーセントで表される。また以下の例においては、次の略号を使用する：
ＢｕＯ＝ブチレンオキシド
ＰＯ＝プロピレンオキシド
【０２４０】
実施例１：１モルのペンタエリスリトル＋４モルのＢｕＯ＋４モルのＰＯ、アミノ化
１−ａ）１モルのペンタエリスリトル＋４モルのＢｕＯ＋４モルのＰＯ
容量２Ｌのオートクレーブ内で、１３６．０ｇのペンタエリスリトル、１．３ｇのカリウムｔｅｒｔ．−ブチラート、及び２００．０ｍｌのキシレンを混合する。オートクレーブを窒素で３回パージし、１４０℃まで加熱する。２８８．０ｇのブチレンオキシドを３時間以内に添加する。混合物を１４０℃で１４時間にわたり後反応させる。次いで、２３２．０ｇのプロピレンオキシドを２時間以内に、何回かに分けて添加する。反応を完結させるために、混合物を１４０℃で更に８時間にわたり後反応させる。反応混合物を窒素によりストリッピングし、揮発性化合物を真空中８０℃で除去する。１０．５ｇのＭａｃｒｏｓｏｒｂ  ＭＰ５ｐｌｕｓを１００℃で２時間にわたり撹拌しながら添加することにより触媒を除去し、濾過する。
【０２４１】
黄色がかったオイルを得る（６４３．０ｇ、ヒドロキシ価：２８４ｍｇのＫＯＨ／ｇ）。
【０２４２】
１−ｂ）１モルのペンタエリスリトル＋４モルのＢｕＯ＋４モルのＰＯ、アミノ化
容量３００ｍＬのオートクレーブ内で、実施例１−ａにより得られたテトラオール混合物６０ｇと、６０ｇのアンモニアとを、１５ｇの固体触媒の存在下において混合する。酸化アルミニウム上の、酸化ニッケル、酸化銅、酸化コバルト、及び酸化スズを含有する触媒を、３ｍｍ×３ｍｍの錠剤形状にする。オートクレーブを水素でパージし、２ＭＰａ（２０バール）まで昇圧してから、混合物を２１５℃まで加熱する。圧力を２８ＭＰａ（２８０バール）まで上げ、３０分間にわたり２１５℃で反応混合物を撹拌し、全体の圧力を２８ＭＰａ（２８０バール）に維持する。３０時間後、オートクレーブを周囲の温度まで冷やし、生成物を回収し、濾過し、回転式のエバポレーター上でストリッピングして、軽量のアミンと水とを除去し、色の薄いポリエーテルアミンを得る。その分析結果を表１に示す。
【０２４３】
【表１】
2017529438.tif 000017
【０２４４】
実施例２：選択洗剤組成物による油脂しみ除去比較
当業者には既知の伝統的な方法により表記の成分を混合することにより次の洗濯洗剤組成物を作製する。組成物Ａは、従来の（ポリエーテルアミンを含まない）洗濯洗剤である。液体の洗剤組成物Ｂは、実施例１により調製されたポリエーテルアミンを含有する（例えば、式Ａを参照のこと）。
【０２４５】
【化１６】
2017529438.tif 000018
【０２４６】
【表２】
2017529438.tif 000019
１．−ＮＨ当たり２０のエトキシレート基を有するポリエチレンイミン（ＭＷ＝６００）
２．ランダムグラフトコポリマーは、ポリエチレンオキシド主鎖及び多数のポリビニルアセテート側鎖を有するポリビニルアセテートグラフトポリエチレンオキシドコポリマーである。ポリエチレンオキシド主鎖の分子量は、約６０００であり、ポリエチレンオキシドのポリ酢酸ビニルに対する重量比は、約４０対６０であり、５０エチレンオキシド単位当たり１グラフト点を超えない。
３．Ｓｔｅｐａｎ社（米国イリノイ州、Ｎｏｒｔｈｆｉｅｌｄ）より供給される、平均脂肪族炭素鎖長Ｃ１１〜Ｃ１２を有する直鎖状アルキルベンゼンスルホネート
４．ＡＥ３Ｓは、Ｓｔｅｐａｎ社（米国イリノイ州、Ｎｏｒｔｈｆｉｅｌｄ）より供給される、Ｃ１２〜１５アルキルエトキシ（３）サルフェートである。
５．ＡＥ７は、Ｈｕｎｔｓｍａｎ社（米国ユタ州、Ｓａｌｔ  Ｌａｋｅ  Ｃｉｔｙ）より供給される、平均エトキシル化度が７のＣ１２〜１５エトキシル酸アルコールである。
６．ＡＥ９は、Ｈｕｎｔｓｍａｎ社（米国ユタ州、Ｓａｌｔ  Ｌａｋｅ  Ｃｉｔｙ）より供給される、平均エトキシル化度が９のＣ１２〜１３エトキシル酸アルコールである。
７．好適なキレート化剤は、例えばＤｏｗＣｈｅｍｉｃａｌ社（米国ミシガン州、Ｍｉｄｌａｎｄ）より供給される、ジエチレンテトラアミン五酢酸（ＤＴＰＡ）又はＳｏｌｕｔｉａ社（米国ミズーリ州、ＳｔＬｏｕｉｓ／デンマーク、Ｂａｇｓｖａｅｒｄ）により供給される、ヒドロキシエタンジホスホネート（ＨＥＤＰ）である。
８．Ｓａｖｉｎａｓｅ（登録商標）、Ｎａｔａｌａｓｅ（登録商標）、Ｓｔａｉｎｚｙｍｅ（登録商標）、Ｌｉｐｅｘ（登録商標）、Ｃｅｌｌｕｃｌｅａｎ（商標）、Ｍａｎｎａｗａｙ（登録商標）、及びＷｈｉｔｅｚｙｍｅ（登録商標）はいずれも、Ｎｏｖｏｚｙｍｅｓ社（デンマーク、Ｂａｇｓｖａｅｒｄ）の製品である。
９．プロテアーゼは、Ｇｅｎｅｎｃｏｒ  Ｉｎｔｅｒｎａｔｉｏｎａｌ社（米国カリフォルニア州、Ｐａｌｏ  Ａｌｔｏ）から供給されるもの（例えばＰｕｒａｆｅｃｔ  Ｐｒｉｍｅ（登録商標））、又はＮｏｖｏｚｙｍｅｓ社（デンマーク、Ｂａｇｓｖａｅｒｄ）から供給されるもの（例えばＬｉｑｕａｎａｓｅ（登録商標）、Ｃｏｒｏｎａｓｅ（登録商標））でよい。
１０．好適な蛍光増白剤は、ＣｉｂａＳｐｅｃｉａｌｔｙＣｈｅｍｉｃａｌｓ社（スイス、Ｂａｓｅｌ）から、例えばＴｉｎｏｐａｌ（登録商標）ＡＭＳ及びＴｉｎｏｐａｌ（登録商標）ＣＢＳ−Ｘとして供給される、スルホン化亜鉛フタロシアニンである。
１１．実施例１のポリエーテルアミン
【０２４７】
技術的しみ見本である木綿ＣＷ１２０は、ベーコン油脂、牛脂、ラード、焦がした牛肉、焦がしたバター、メークアップを含むものであるが、Ｗａｒｗｉｃｋ  Ｅｑｕｅｓｔ社（英国、Ｕｎｉｔ  ５５  Ｄｅｒｗｅｎｔｓｉｄｅ  Ｂｕｓｉｎｅｓｓ  Ｃｅｎｔｒｅ，Ｃｏｎｓｅｔｔ，Ｃｏ  Ｄｕｒｈａｍ，ＤＨ８  ６ＢＮ）から購入される。１ガロン当たり１４グレインの硬度の水を用いて、３０℃での木綿サイクルを選択し、上の表にリストされた各々８０ｇのそれぞれの洗剤組成物を用いて、しみの付いた見本を従来の西欧型洗濯機（Ｍｅｉｌｅ（登録商標））で洗浄する。画像解析を使用して、各しみをしみの付いていない布地の対照例と比較する。ソフトウエアは得られる画像を標準の色値に変換し、通常使用されるマクベス色保持チャートに基づいてそれらを基準値と比較し、それぞれのしみに色値を割り当てる（しみレベル）。それぞれについて８つの複製を用意する。次いで、しみ除去指数を以下に示す式に従って計算する。
【０２４８】
見本からのしみ除去を次のように測定する：
【０２４９】
【数１】
2017529438.tif 000020
ΔＥｉｎｉｔｉａｌ＝洗浄前のしみレベル
ΔＥｗａｓｈｅｄ＝洗浄後のしみレベル
【０２５０】
【表３】
2017529438.tif 000021
【０２５１】
これらの結果は、本発明のポリエーテルアミン（組成物Ｂに使用）が、従来の（ポリエーテルアミンを含まない）液体洗剤（組成物Ａ）と比較して、驚くべき油脂除去の利益を、特にベーコン油脂及びラードに関してもたらすことを示す。
【０２５２】
本明細書で開示する寸法及び値は、列挙された正確な数値に厳密に限られるとして理解されるべきではない。代わりに、別途記載のない限り、それぞれのこのような寸法は、列挙されている値及びその値の周辺の機能的に同等な範囲の両方を意味することが意図される。例えば、「４０ｍｍ」として開示される寸法は、「約４０ｍｍ」を意味することを意図する。
【０２５３】
相互参照される又は関連する任意の特許又は特許出願、及び本願が優先権又はその利益を主張する任意の特許出願又は特許などの、本願に引用される全ての文書は、除外又は限定することを明言しない限りにおいて、参照によりその全容が本願に援用される。いずれの文献の引用も、その文献が本願で開示又は特許請求される全ての発明に対する先行技術であることを認めるものではなく、また、その文献が、単独で、あるいはあらゆる他の参照文献とのあらゆる組み合わせにおいて、かかる発明のいずれかを参照、教示、示唆又は開示していることを認めるものでもない。更に、本文書における用語の任意の意味又は定義が、参照により組み込まれる文献における同じ用語の任意の意味又は定義と矛盾する場合は、本文書におけるその用語に与えられた意味又は定義を優先するものとする。
【０２５４】
本発明の特定の実施形態を例示及び説明してきたが、本発明の趣旨及び範囲から逸脱せずに、他の様々な変更及び修正を行うことができることは当業者には明白であろう。したがって、本発明の範囲内に含まれるそのような全ての変更及び修正は、添付の特許請求の範囲にて網羅することを意図したものである。
【国際調査報告】
2017529438.tif 000024
2017529438.tif 000025